(57)【要約】【課題】画像及び音声データを伝送しＳＩＭを要する公衆電話回線でセキュリティ性を確保した通信を行ない得ると共に多機能な電子カメラを提供する。【解決手段】公衆電話回線を利用するデータ通信手段５５と、同回線利用の他の情報機器との間でシリアル伝送するシリアル通信手段１０と、操作手段７と、表示手段８と、回線加入者情報を格納したカード形状媒体９を挿入する装填部６Ｂと、映像信号を送信用信号に処理し受信信号を記録用又は再生用信号に処理する送受信信号処理手段５４と、音声出力手段６２，６５と、音声入力手段６３，６４と、映像信号及び音声信号を記憶する記録手段５２と、記録手段に記録済の音声信号を読み出し音声出力手段から出力処理し音声入力手段からの入力信号を記録又は再生用信号に処理する音声信号処理部６０とを有し、通信手段又はシリアル通信手段に接続された他の情報機器により画像データ及び音声データの伝送を行なう。【選択図】図２０
2006319990.tif 000002
【特許請求の範囲】
【請求項１】
撮影光学系により結像される光学的映像を撮像手段により電気的映像信号に変換する電子カメラであって、
公衆電話回線を利用してデータ通信を行なう通信手段と、
公衆電話回線を利用したデータ通信を行なう他の情報機器との間でシリアル伝送を行なうシリアル通信手段と、
上記電子カメラに対して各種の処理を実行せしめる操作手段と、
上記操作手段による操作内容および操作結果を表示する表示手段と、
回線加入者情報が格納されたカード形状の媒体を挿入する装填部と、
上記映像信号を送信するのに適した形態の信号に処理すると共に、受信した信号を記録または再生するのに適した形態の信号に処理する送受信信号処理手段と、
音声信号を出力する音声出力手段と、
音声信号を入力する音声入力手段と、
上記撮像手段によって得られた映像信号及び上記音声入力手段で入力した音声信号を記憶する記録手段と、
上記送受信信号処理手段に制御され、上記記録手段に記録されている音声信号を読み出して、この音声信号を上記音声出力手段から出力するのに適した形態の信号に処理すると共に、上記音声入力手段によって入力された音声信号を記録または再生するのに適した形態の信号に処理する音声信号処理部と、
を有し、
上記通信手段または上記シリアル通信手段に接続された他の情報機器によって画像データおよび音声データのデータ伝送を行なうことを特徴とする電子カメラ。
【請求項２】
上記通信手段または上記シリアル通信手段に接続された他の情報機器によってデータ通信を行なった後に、回線利用情報を取得して、この回線利用情報を上記カード形状媒体に書き込むことを特徴とする請求項１に記載の電子カメラ。
【請求項３】
上記回線利用情報は、少なくとも利用料金に関する課金情報を含むことを特徴とする請求項２に記載の電子カメラ。
【請求項４】
上記操作手段は、回線利用情報の表示を行なわしめる操作キーを含み、この操作キーを操作することによって、回線利用情報を上記カード形状媒体から読み出し、上記表示手段に表示することを特徴とする請求項２に記載の電子カメラ。
【請求項５】
当該電子カメラは、動作モードとして、上記撮像手段が出力した映像信号又は上記音声入力手段で入力した音声信号を上記記録手段に記録する記録モードと、上記映像信号及び上記音声信号を伝送するテレビ電話モードとを、少なくとも有し、
上記操作手段は、映像記録指示手段を、さらに含んでなり、
当該電子カメラが記録モードで動作しているときに上記映像記録指示手段が操作されると、その操作のタイミングで静止画像の映像信号が記録媒体に記録され、
当該電子カメラがテレビ電話モードで動作し、音声信号のデータ通信が行なわれているときに上記映像記録指示手段が操作されると、映像信号が送信されることを特徴とする請求項１に記載の電子カメラ。
【請求項６】
上記操作手段は、音声記録指示手段を、さらに含み、
当該電子カメラが記録モードで動作しているときに上記音声記録指示手段が操作されると、上記音声入力手段から入力される音声信号が上記記録媒体に記録される一方、当該電子カメラがテレビ電話モードで動作しているときに上記音声記録指示手段が操作されると、通話に使われている送受信音声信号が記録媒体に記録されることを特徴とする請求項１に記載の電子カメラ。
【発明の詳細な説明】
【技術分野】
【０００１】
この発明は、電子カメラ、詳しくは公衆電話回線を利用してデータ通信を行なうことができる電子カメラに関するものである。
【背景技術】
【０００２】
近年、移動可能な情報通信機器として自動車電話、携帯電話等が世界的に広く普及しており、音声、データ通信等の幅広いサービスが行なわれている。このような移動情報通信機器の方式としては、欧州各国をはじめアジア等世界数十ヵ国において、デジタル方式を採用したＧＳＭ（Global System for Mobile Communications）方式が一般的に実用化されている。
【０００３】
このＧＳＭ方式の特徴の一つとして、電話番号、識別ＩＤ等の回線加入者識別情報をＳＩＭ（Subscriber Identification Module；ＩＣカード、ＩＣプラグ等の回線加入者情報カード）によって管理する点が挙げられる。
【０００４】
このＳＩＭによって番号管理を行なうことによって、個々の携帯電話装置と回線加入者識別情報とを物理的に分離させることができる。したがって、無駄な電話番号を流布させずに済むという有用性がある。
【０００５】
このＳＩＭは、ＧＳＭ方式が世界的に広まっている現在、既に１０００万枚のカードが発行されており、将来に向けてＧＳＭ方式が拡大するのに伴ってＳＩＭ自体の需要も拡がり、その発行枚数はさらに増加するものと予想されている。
【０００６】
一方、日本国内では、移動情報通信機器と電話番号を物理的に分離することは、セキュリティ性の面から規制されていたため、ＳＩＭのような番号管理を行なう方式を実用化することは不可能であった。
【０００７】
しかし現在では、ＩＣカードのセキュリティ管理への取り組みが進んでおり、回線加入者識別情報をＳＩＭのようにＩＣカード化させた場合にも、高いセキュリティ性を保障できるまでになっている。
【０００８】
これを受けて、近年、日本でもＳＩＭが実用化できるようになり、例えば回線加入者情報カードとしてのＳＩＭを公衆電話回線等に利用する等、種々の検討がなされている。
【０００９】
他方、近年においては、ＰＨＳカード等のように携帯電話機能を有するＰＣカードタイプの電話機（以下、ＰＣカード型電話機という。）等が種々実用化されており、このようなＰＣカード型電話機を利用してデータ伝送等の通信を行なうことのできる情報通信機器についても、種々実用化されている。
【００１０】
また、撮影光学系によって結像された被写体光をＣＣＤ等の撮像手段によって電気的な映像信号に変換して出力し、この出力された映像信号を記録媒体に電気的に記録するようにしたデジタル電子スチルカメラ（以下、電子カメラという。)が、近年、一般的に実用化されている。
【００１１】
さらに、このような電子カメラにおいて、ＰＣカード等を装着するための装着部を設け、この装着部に上述のＰＣカード型電話機等を装着することによって、画像データ等の映像信号のデータ通信を可能にしたものが、種々提案され実用化されている。
【発明の開示】
【発明が解決しようとする課題】
【００１２】
ところが、上述のＰＣカード型電話機自体にはダイヤルボタン等が配設されていないので、単体では電話機としての機能を有しているものではない。つまり、このＰＣカード型電話機は、上述のような情報通信機器、電子カメラ等に装着されて、これらの情報機器によって制御されることで、データ伝送等の通信を行なうことができるものである。
【００１３】
したがって、このようなＰＣカード型電話機にＳＩＭを組み込むことは無意味なことであり、また製造コストの上昇につながることにもなる。よって、ＳＩＭによる電話番号管理が行なわれるようになった場合には、上記ＰＣカード型電話機を装着した情報通信機器、電子カメラ等によって、ＳＩＭを必要とする公衆電話回線を利用するデータ伝送等の通信は、行なうことができないという問題がある。
【００１４】
本発明は、上述した点に鑑みてなされたものであって、その目的とするところは、内蔵される通信手段またはシリアル通信手段によって接続される通信手段によって撮影した画像及び音声データ伝送等の通信を行なうことができ、ＳＩＭを必要とする公衆電話回線を利用する場合にも、容易にデータ伝送等の通信を行なうことができる電子カメラを提供するにある。
【００１５】
また、ＳＩＭを使用する場合には、確実なセキュリティ性を保障すると共に、課金情報等の回線利用情報を容易に取得し、これを表示させる機能等を有することで、より多機能な電子カメラを提供することである。
【課題を解決するための手段】
【００１６】
上記目的を達成するために、本発明による電子カメラは、撮影光学系により結像される光学的映像を撮像手段により電気的映像信号に変換する電子カメラであって、公衆電話回線を利用してデータ通信を行なう通信手段と、公衆電話回線を利用したデータ通信を行なう他の情報機器との間でシリアル伝送を行なうシリアル通信手段と、上記電子カメラに対して各種の処理を実行せしめる操作手段と、上記操作手段による操作内容および操作結果を表示する表示手段と、回線加入者情報が格納されたカード形状の媒体を挿入する装填部と、上記映像信号を送信するのに適した形態の信号に処理すると共に、受信した信号を記録または再生するのに適した形態の信号に処理する送受信信号処理手段と、音声信号を出力する音声出力手段と、音声信号を入力する音声入力手段と、上記撮像手段によって得られた映像信号及び上記音声入力手段で入力した音声信号を記憶する記録手段と、上記送受信信号処理手段に制御され、上記記録手段に記録されている音声信号を読み出して、この音声信号を上記音声出力手段から出力するのに適した形態の信号に処理すると共に、上記音声入力手段によって入力された音声信号を記録または再生するのに適した形態の信号に処理する音声信号処理部と、を有し、上記通信手段または上記シリアル通信手段に接続された他の情報機器によって画像データおよび音声データのデータ伝送を行なうことを特徴とする。
【発明の効果】
【００１７】
本発明によれば、内蔵される通信手段またはシリアル通信手段によって接続される通信手段によって撮影した画像及び音声データ伝送等の通信を行なうことができ、ＳＩＭを必要とする公衆電話回線を利用する場合にも、容易にデータ伝送等の通信を行い得る電子カメラを提供することができる。
【００１８】
また、ＳＩＭを使用する場合には、確実なセキュリティ性を保障すると共に、課金情報等の回線利用情報を容易に取得し、これを表示させる機能等を有することで、より多機能な電子カメラを提供することができる。
【発明を実施するための最良の形態】
【００１９】
以下、図示の実施の形態によって本発明を説明する。
【００２０】
図１は、本発明の第１の実施形態の情報通信機器全体を示すブロック構成図である。
【００２１】
この第１の実施形態の情報通信機器２１は、制御回路を形成するＣＰＵ１によって全体の制御がなされる。このＣＰＵ１には、ＲＯＭ３、ＲＡＭ４、ＰＣカードインターフェースＩ／Ｆ５等がシステムバス２を介して電気的に接続されている。
【００２２】
上記ＲＯＭ３には、ＣＰＵ１によって各種制御動作を行なうための制御プログラムが格納されており、ＲＡＭ４には、各種データが一時的に格納されるようになっている。
【００２３】
上記ＰＣカードＩ／Ｆ５には、カード形状の通信機器や、カード形状の記憶媒体等のＰＣカード２２を挿脱自在に装着する装着部であるＰＣカードソケット６Ａが接続されている。
【００２４】
上記ＰＣカード２２としては、例えば通信（電話)機能を有する電話カード、記憶装置としての機能を有するＡＴＡ（AT Atatchment）カード等が挙げられる。
【００２５】
これらのＰＣカード２２をＰＣカードソケット６Ａに装着することによって、この情報通信機器２１とＰＣカード２２とが電気的に接続されるようになっている。
【００２６】
なお、ＣＰＵ１とＰＣカード２２との間の各種データの受け渡しは、ＣＰＵ１によって制御される上記ＰＣカードＩ／Ｆ５を介して行なわれるようになっている。
【００２７】
また、上記ＣＰＵ１には、操作手段でありテンキー等の操作部材からなるキー入力部７と、表示手段であり液晶ディスプレイ（以下、ＬＣＤという。）等からなる表示部（ＬＣＤ）８が、それぞれ制御線によって電気的に接続されている。
【００２８】
これにより、操作者は、キー入力部７を操作することによって、上記ＣＰＵ１に対して各種の操作命令の信号を入力し、この入力信号が制御線によってＣＰＵ１へ伝達されるようになっている。そして、ＣＰＵ１は、この操作命令を受けて、各対応した制御を行ない、その結果が制御線を介して表示部８に表示されるようになっており、これによって、操作者は、自己の入力した操作命令の結果を確認することができるようになっている。
【００２９】
また、上記ＣＰＵ１には、制御線によって回線加入者情報カード（以下、ＳＩＭという。)９が挿脱自在に装填される装填部であるＳＩＭソケット６Ｂが接続されている。上記ＳＩＭ９は、回線加入者情報等が格納されたカード形状からなる媒体である。
【００３０】
そして、上記ＳＩＭソケット６ＢにＳＩＭ９が装着された状態において、ＣＰＵ１は、ＳＩＭ９からの各種データの読み出し制御、およびＳＩＭ９への各種データの書き込み制御を行なうようになっている。
【００３１】
さらに、上記ＣＰＵ１には、シリアル信号線１４を介して他の情報機器との間でシリアル伝送を行なうシリアル通信手段であるシリアルＩ／Ｆ１０が接続されており、このシリアルＩ／Ｆ１０には、シリアルケーブル１５によって他の情報機器、即ち外部情報機器１６（例えば携帯電話装置、携帯型端末装置（ノート型パーソナルコンピュータ）、電子カメラ等）が電気的に接続されるようになっている。これにより、この情報通信機器２１と外部情報機器１６との間における各種データの受け渡しは、上記シリアルＩ／Ｆ１０およびシリアルケーブル１５を介して行なわれるようになっている。
【００３２】
このように構成された情報通信機器２１において行なわれるデータ通信動作を、以下に簡単に説明する。
【００３３】
例えばＰＣカード２２としてＰＣカード型電話機が装着され、外部情報機器１６として携帯型端末装置（以下、ＰＣという。）または電子カメラ等が接続された場合には、上記ＣＰＵ１は、ＰＣ、電子カメラ（１６）からデータファイル、画像データファイル等をシリアルケーブル１５、シリアルＩ／Ｆ１０を介して受け取ると共に、ＰＣカードＩ／Ｆ５を制御して、上記データファイル等をＰＣカード型電話機（２２）へ出力する。これによって、上記データファイル等は、通信相手先へ伝送される。
【００３４】
また、通信相手先よりＰＣカード型電話機（２２）に伝送されてきたデータファイル、画像データファイル等は、ＣＰＵ１がＰＣカードＩ／Ｆ５を制御して、これを受け取り、シリアルＩ／Ｆ１０、シリアルケーブル１５を介してＰＣ、電子カメラ（１６）へと出力する。これを受けて上記ＰＣ、電子カメラ等の外部情報機器１６は、上記データファイル等を自己に内蔵されている記憶装置に記録する。このようにして、上記情報通信機器２１は、通信相手先とのデータ通信を行なう。
【００３５】
一方、上記外部情報機器１６として携帯型電話機がシリアルケーブル１５によって接続され、ＰＣカード２２としてＡＴＡカード等の記憶媒体がＰＣカードソケット６Ａに装着された場合には、ＣＰＵ１は、ＰＣカードＩ／Ｆ５を制御することにより、記憶媒体（２２）に記録されているデータファイル、画像データファイル等を読み出して、シリアルＩ／Ｆ１０、シリアルケーブル１５を介して携帯型電話機（１６）へ出力する。これによって、上記データファイル等は、通信相手先へ伝送される。
【００３６】
また、通信相手先から携帯型電話機（１６）に伝送されてきたデータファイル、画像データファイル等は、ＣＰＵ１の制御によりシリアルＩ／Ｆ１０、シリアルケーブル１５を介してＣＰＵ１に入力される。そして、ＣＰＵ１は、ＰＣカードＩ／Ｆ５を制御して、上記データファイル等を記憶媒体（２２）へと出力し、記憶媒体（２２）は、これを格納する。このようにして、この情報通信機器２１は、通信相手先とのデータ通信を行なう。
【００３７】
図２は、この第１の実施形態の情報通信機器２１の外観形状を示す概略斜視図である。
【００３８】
この情報通信機器２１の上面には、上記表示部８を形成するＬＣＤ８ａと、操作パネル部が設けられている。この操作パネル部には、上記操作手段であるキー入力部７を形成する各群のキー、すなわち、
・「Ａ〜Ｚ」のアルファベットおよび「−（ハイフン）」の各キーが一群に配列されたアルファベットキー１７、
・「０〜９」の数字キー、「，（カンマ）」および「．（ポイント）」の各キーが一群に配列されたテンキー１９、
・操作命令の入力完了を指示するスタート（ＳＴＡＲＴ）キー１８、
・特定の操作命令を指示するための複数個の各キーが一群として配列されたファンクションキー２０、
等が配置されている。
【００３９】
なお、図２では、上記アルファベットキー１７の配列の一例として、いわゆるＱＷＥＲＴＹ配列を示している。また、ファンクションキー２０の一例として、
・課金情報等の回線利用情報の表示を指示する「＄（ダラー)」キー２０ａ、
・パスワード設定モードにモード切り換えの指示を行なう「ＰＡＳＳ（パス）」キー２０ｂ、
・通信モードを開始するための指示を行なう「ＴＥＬ（テレ)」キー２０ｃ、
を示している。
【００４０】
一方、側壁面には、上記シリアルＩ／Ｆ１０のコネクタ部１０Ａと、上記ＳＩＭソケット６Ｂがそれぞれ設けられている。上記コネクタ部１０Ａには、上記シリアルケーブル１５の一端側のコネクタ１５Ａが接続され、このケーブル１５の他端側に外部情報機器１６が接続されている。そして、上記ＳＩＭソケット６Ｂには、ＳＩＭ９が装着されている。
【００４１】
また、他の側壁面には、上記ＰＣカードソケット６Ａが設けられており、このＰＣカードソケット６ＡにＰＣカード２２としてのＰＣカード型電話機が装着されている。
【００４２】
そして、操作者は、必要に応じて上記各種のキー（１７，１８，１９，２０）を操作することにより、この情報通信機器２１およびＰＣカード型電話機（２２）と外部情報機器１６との間でデータ通信を行なうことができるようになっている。
【００４３】
このように構成された上記第１の実施形態の情報通信機器２１によって行なわれる通信時の動作のうち第１の通信モードについて、図３のフローチャートによって、以下に説明する。
【００４４】
なお、ここでは、図２に示すように、上記ＰＣカードソケット６Ａには、ＰＣカード２２としてＰＣカード型電話機が装着され、上記シリアルＩ／Ｆ１０には、外部情報機器１６として携帯型端末装置、電子カメラ等が接続されているものとする。
【００４５】
上記情報通信機器２１は、電源が供給されている状態で、かつ通信モードに設定されていない状態では、ＣＰＵ１によって常に着信信号の監視が行なわれるようになっている。ここで着信信号とは、他の情報機器（通信相手先）から、この情報通信機器２１に装着されているＰＣカード型電話機（２２）に対して行なわれる通信要求信号を示している。つまり、通信相手先より電話回線を介して通信要求がなされる（電話をかける）ことによって、この情報通信機器２１のＰＣカード型電話機（２２）に着信信号が入力されると、このＰＣカード型電話機（２２）は、ＣＰＵ１に対して、例えば「ＲＩＮＧ」、「ＣＡＬＬ」等の文字列信号を送信するようになっており、ＣＰＵ１は、この文字列信号を受け取る（検出する）ことによって、通信要求があったかどうかがわかるようになっている。
【００４６】
まず、ステップＳ１において、ＣＰＵ１によって着信信号の検出が行なわれる。ここで、着信信号が検出された場合には、ステップＳ５の処理に進む。また、着信信号が検出されなかった場合には、通信を開始できる状態であると判断されて、他の情報機器に対して発信を行なう第１の通信モード入る。そして、次のステップＳ２の処理に進む。
【００４７】
ステップＳ２において、操作者が上記テンキー１９を操作することによって電話番号入力が行なわれた後、ステップＳ３において、上記ファンクションキー２０のうちＴＥＬキー２０ｃが押されると、この情報通信機器２１が通信を開始する（発信する）旨の指示命令信号がＣＰＵ１に入力されて、次のステップＳ４の処理に進む。
【００４８】
ステップＳ４において、ＣＰＵ１は、上述のステップＳ３の通信開始指示命令を受けて、ＰＣカードＩ／Ｆ５を制御し、ＰＣカードソケット６Ａに装着されているＰＣカード型電話機（２２）へ入力された電話番号情報と発信命令を送信する。これを受けて、ＰＣカード型電話機（２２）は、発信動作、すなわち電話をかける動作を行なって、次のステップＳ５の処理に進む。
【００４９】
ステップＳ５において、通信相手先との接続に成功したかどうかの判断がなされる。ここで、ＰＣカード型電話機（２２)から「ｃｏｎｎｅｃｔ」等の文字列信号がＣＰＵ１に送信された場合には、ＣＰＵ１は、通信相手先との接続が成功したと判断して、次のステップＳ６の処理に進む一方、ＰＣカード型電話機（２２)から「ｆａｉｌ」等の文字列信号がＣＰＵ１に送信された場合には、ＣＰＵ１は、通信相手先との接続に失敗したと判断して、一連のシーケンスを終了する（エンド)。
【００５０】
上述のステップＳ５において、接続が成功したと判断されて、ステップＳ６の処理に進むと、このステップＳ６において、通信相手先との間でデータ通信が行なわれる。ここで行なわれるデータ通信は、外部情報機器１６に記録されているデータファイル等を通信相手先にデータ伝送したり、通信相手先から伝送されてくるデータファイル等を受信して、外部情報機器１６の記憶装置に記録する等の動作である。
【００５１】
そして、データ通信が終了すると、次のステップＳ７の処理に進み、このステップＳ７において、通信相手先との接続状態が切断される。つまり、通信可能状態から通信不可能状態に切り換えられる。ここでは、例えば操作者が通信接続中にＴＥＬキー２０ｃを押すことによって、ＣＰＵ１に対して通信切断信号を送り、この信号を受けたＣＰＵ１がＰＣカードＩ／Ｆ５を制御して、ＰＣカード型電話機（２２)によって通信切断が行なわれるか、または、通信相手先によって、同様の通信切断動作がなされる。そして、次のステップＳ８の処理に進む。
【００５２】
ステップＳ８において、ＣＰＵ１は、直前に行なった通信利用料金に関する課金情報等の回線利用情報を取得する。この課金情報等は、通信切断直後に、回線網全体を管理する管理会社（例えば電話局等）から各種情報が伝送されるといったサービスがある場合に、これを受信することによって取得するものである。
【００５３】
この場合においては、上述のステップＳ７における回線切断動作後の状態は、通信相手先との接続状態が切断されただけの状態であって、上記回線網管理会社との間の接続状態は保持されている。そして、この回線切断動作直後の時間を利用して、回線網管理会社より各種情報を取得することができるようになっており、上記回線網管理会社からの情報伝送が終了すると、回線網管理会社との接続状態も切断されて、このＰＣカード型電話機（２２)と回線網との接続状態は、完全に切断された状態となる。
【００５４】
また、上記課金情報等の取得は、上述の手段のほかに、所望のときに上記回線網管理会社等の課金情報等を管理するセンターの特定の電話番号に電話をかけることによって、所望の情報を取得することができるサービスがあれば、これを利用するという手段もある。
【００５５】
すなわち、通信相手先との通信が終了して回線切断動作が行なわれた後に、この情報通信機器２１のＣＰＵ１が上記特定の電話番号に自動運転による接続動作（いわゆるオートダイアル、オートログイン)を行なって、直前の通信利用料金に関する課金情報等を取得する。この場合には、通信相手先との通信を終了した後に行なわれる回線切断動作によって、このＰＣカード型電話機（２２)と回線網との接続状態を完全に切断された状態とし、この情報通信機器２１を、通信状態から完全に解放された状態に置く必要がある。
【００５６】
そして、次のステップＳ９の処理に進み、このステップＳ９において、ＣＰＵ１は、取得した課金情報等の回線利用情報に基づいて、例えば日付情報、利用時間情報、相手先電話番号情報、課金情報（利用料金情報)等の明細情報を作成し、これをＳＩＭ９に記録した後、次のステップＳ１０の処理に進み、このステップＳ１０において、上記明細情報をＬＣＤ８ａに表示して、この一連のシーケンスを終了する（エンド)。ここで、ＣＰＵ１は、取得した回線利用情報をＳＩＭ９に書き込み記録する書き込み手段であり利用情報記録手段としての役目をしている。
【００５７】
なお、上述のステップＳ１０において、ＬＣＤ８ａに表示される明細情報の表示形態の一例を表１に示す。
【表１】
2006319990.tif 000003
【００５８】
ところで、上記回線加入者情報カード（ＳＩＭ）９を使用するに際して、そのセキュリティ性を保障するためには、各カード毎に固有のパスワードを設定することが考えられる。このパスワードは、ＳＩＭ９の製造者によって設定され、利用者側では容易に書換えることができないようにされている必要がある。そして、このパスワードは、ＳＩＭ９を正規に購入した場合に、その購入者のみに限って知らせるようにする等の厳密な機密保持が行なわれるものである。
【００５９】
このように厳密に管理されたＳＩＭ９を、上記情報通信機器２１に装着して使用する場合には、予め情報通信機器２１側で各ＳＩＭ９に対応するパスワードの設定登録を行なって、通信を行なう際の通信モードのシーケンス中で、装着されたＳＩＭ９のパスワードが情報通信機器２１に登録されたパスワードと一致するかどうか、すなわちパスワードチェックを行なうシーケンスを加えておけば、ＳＩＭ９のパスワードを知らない第三者が、例えばＳＩＭ９を不法に入手した場合に、これを容易に使用することができない。したがって、セキュリティ性を向上させることができることとなる。
【００６０】
そこで、この第１の実施形態の情報通信機器２１においては、図４のフローチャートに示すパスワード設定モードを用意すると共に、このパスワード設定モードで設定されたパスワードと装着されたＳＩＭ９のパスワードとが一致するかどうかを確認する、パスワードチェックのシーケンスを加えた第２の通信モードが用意されている。
【００６１】
すなわち、この情報通信機器２１において、パスワードの設定を行なうには、通信モード以外の状態にあるときに、ＰＡＳＳキー２０ｂを押すことによって、パスワード設定モードに切り換えることができるようになっている。
【００６２】
上述したように、この情報通信機器２１は、電源が供給されている状態で、かつ通信モードに設定されていない状態では、ＣＰＵ１によって常に着信信号の監視が行なわれているが、これと同時に、モード切り換え信号の監視も常に行なわれている。
【００６３】
すなわち、この情報通信機器２１に電源が供給され、通信モード以外の状態にあるときに、ＣＰＵ１は、ステップＳ１１において、ＰＡＳＳキー２０ｂが押されたかどうかの監視を行なっている。ここで、操作者がＰＡＳＳキー２０ｂを押すことによってパスワード設定モードへの切り換えを行なった場合には、その入力信号がＣＰＵ１によって検出される。これにより、次のステップＳ１２の処理以降のパスワード設定モードに移行する。
【００６４】
一方、ＰＡＳＳキー２０ｂが押されなければ、パスワード設定モードに移行することなく通常の動作シーケンス、すなわち通信モード以外の状態が維持され、ＣＰＵ１は、着信信号等の監視を続ける。
【００６５】
上述のステップＳ１１において、ＰＡＳＳキー２０ｂが押され、ステップＳ１２以降のパスワード設定モードに移行すると、このステップＳ１２において、操作者は、アルファベットキー１７およびテンキー１９を操作して、ＳＩＭ９に設定されているパスワードを入力する。すると、このパスワード入力信号を受けて、ＣＰＵ１は、次のステップＳ１３において、パスワードの設定を行なう。これによって、上述のステップＳ１２で入力されたパスワードに対応するＳＩＭ９を、この情報通信機器２１で使用できるようになる。そして、パスワード設定モードに移行する直前の状態に復帰する。
【００６６】
なお、上述のステップＳ１３で設定されたパスワード情報は、参照データとしてＲＡＭ４等に保持されるようになっており、この情報通信機器２１によって通信動作が行なわれる際のパスワードチェックのシーケンスにおいて、随時参照されることとなる。この場合において、ＲＡＭ４は、操作者が操作手段であるキー入力部７のうちアルファベットキー１７やテンキー１９を操作して入力した文字列をパスワードとして記憶するパスワード記憶手段の役目をしている。
【００６７】
次に、上記第１の実施形態の情報通信機器２１によって行なわれる通信時の動作のうち、パスワードチェックのシーケンスが付加された第２の通信モードを、図５のフローチャートによって、以下に説明する。
【００６８】
まず、ステップＳ２１において、操作者は、テンキー１９を操作することにより電話番号入力を行ない、続けて次のステップＳ２２において、ＴＥＬキー２０ｃを押すことによって、この情報通信機器２１から通信を開始する（電話をかける）旨の指示命令をＣＰＵ１に入力し、次のステップＳ２３の処理に進む。
【００６９】
ステップＳ２３において、ＣＰＵ１は、上記通信開始指示命令を受けて、ＳＩＭ９に設定されているパスワード情報と、上述のパスワード設定モード（図４参照）において予め設定登録されたパスワードとを読み出して、両者の比較、すなわちパスワードチェックを行なう。この場合において、ＣＰＵ１は、ＳＩＭ９（カード形状の媒体）をＳＩＭソケット６Ｂ（装填部）に装填して公衆電話回線を利用したデータ通信を行なうのに際して、ＳＩＭ９に設定されている固有のパスワード情報と予めキー入力部７のうちアルファベットキー１７やテンキー１９（操作手段）によってＲＡＭ４（パスワード記憶手段）に記憶されたパスワード情報とを比較するパスワードチェック手段の役目をしている。
【００７０】
ここで、両者のパスワードが一致した場合には、次のステップＳ２４の処理に進み、両者のパスワードが一致しない場合には、この第２の通信モードを終了して通常の待機状態に戻る。
【００７１】
上述のステップＳ２３におけるパスワードチェックの結果、ＳＩＭ９側と情報通信機器２１側の設定パスワードが一致して、ステップＳ２４の処理に進むと、このステップＳ２４において、ＣＰＵ１は、上述のステップＳ２２における通信開始指示命令に基づいて、ＰＣカードＩ／Ｆ５を制御し、ＰＣカードソケット６Ａに装着されているＰＣカード型電話機（２２）へステップＳ２１で入力された電話番号情報および発信命令を送信する。これによって、ＰＣカード型電話機（２２）は発信動作を実行する。そして、次のステップＳ２５の処理に進む。
【００７２】
ステップＳ２５において、通信相手先との接続に成功したかどうかの判断がなされる。ここで、ＰＣカード型電話機（２２)から「ｃｏｎｎｅｃｔ」等の文字列信号がＣＰＵ１に送信された場合には、ＣＰＵ１は、通信相手先との接続が成功したと判断して、次のステップＳ２６の処理に進む一方、ＰＣカード型電話機（２２)から「ｆａｉｌ」等の文字列信号がＣＰＵ１に送信された場合には、ＣＰＵ１は、通信相手先との接続に失敗したと判断して、一連のシーケンスを終了する（エンド)。
【００７３】
上述のステップＳ２５において、接続が成功したと判断されて、ステップＳ２６の処理に進むと、このステップＳ２６において、通信相手先との間で各種データの伝送等（データ通信）が行なわれる。そして、このデータ通信が終了すると、回線切断動作が行なわれる。なお、この回線切断動作以降の処理は、図３に示すステップＳ７以降の処理と全く同様である。
【００７４】
以上説明したように上記第１の実施形態によれば、情報通信機器２１側にＳＩＭソケット６Ｂを設け、このＳＩＭソケット６Ｂに、ＳＩＭ９を挿脱自在に配設するようにしたので、ＳＩＭソケット６にＳＩＭ９を装着することによって、ＳＩＭ９を必要とする公衆電話回線を利用してのデータ伝送等の通信を容易に行なうことができる。
【００７５】
また、ＳＩＭ９に設定されているパスワードに対応するパスワードを、予め設定登録するパスワード設定モードと、ＳＩＭ９側の設定パスワードと情報通信機器２１側に設定登録されたパスワードの比較（パスワードチェック）を行なうようにした第２の通信モードを設けたので、第三者が不法に入手したＳＩＭ９を容易に使用することができないようにして、セキュリティ性を向上させることができる。
【００７６】
なお、上述の第１の通信モードの動作シーケンス中、ステップＳ１０（図３参照）において、上記ＬＣＤ８ａに表示される明細情報の表示形態（表１参照）については、これに限らず別の表示形態によってもよい。以下に、明細情報の表示形態についての他の例を説明する。
【００７７】
図６は、上記第１の実施形態の情報通信機器２１の変形例を示す要部概略斜視図である。この変形例における情報通信機器２１Ａでは、操作パネル部に配設されるキー操作部７の一部として、カーソル移動キー２５を加えて配置するようにしている。なお、他の構成部材については、上述の第１の実施形態と同様であるものとし、その説明は省略する。
【００７８】
上記カーソル移動キー２５は、情報通信機器２１Ａの上面、一端側の操作パネル部の表示部８（ＬＣＤ８ａ)の近傍に配置された三角形状の４つのキー群からなるものである。そして、この４つのキーは、それぞれ三角形状の各頂点が外側に向けて配置されて、４つのキー全体で菱型形状が形成されるように配設されている。
【００７９】
なお、上記カーソル移動キー２５を形成する４つのキーは、三角形状の頂点が上方向を指向する上移動キー２５ａと、三角形状の頂点が下方向を指向する下移動キー２５ｂと、三角形状の頂点が左方向を指向する左移動キー２５ｃと、三角形状の頂点が右方向を指向する右移動キー２５ｄである。
【００８０】
このように構成された情報通信機器２１Ａにおいて行なわれる通信動作は、上述の第１の実施形態と同様である（図３参照)が、ステップＳ１０において行なわれる明細情報等の表示形態が異なる。
【００８１】
すなわち、上述の第１の実施形態における明細情報等の表示形態は、表１に示すように、直前に行なわれた通信に関する各情報等のみをＬＣＤ８ａに表示するようにしたものであるが、この変形例においては、ＳＩＭ９に記録された通信に関する履歴をすべて表示できるようにしている。
【００８２】
上記ＳＩＭ９には、通信を行なう都度、取得された課金情報等に基づいて作成された明細情報が全て記録されるようになっている。この明細情報は、ファンクションキー２０のうちの＄キー２０ａを押すことによってＬＣＤ８ａに表示することができるようになっている。
【００８３】
したがって、操作者は、上記＄キー２０ａを押すことによって、課金情報表示信号の表示命令をＣＰＵ１に伝達し、これを受けてＣＰＵ１は、ＳＩＭ９に記録されている課金情報等の全ての明細情報を読み出して、ＬＣＤ８ａに表示するようになっている。このとき、ＬＣＤ８ａに表示される明細情報の表示形態は、表１と略同様のものであり、図６に示すように、ＬＣＤ８ａの左側のＡ欄には日付情報を、Ｂ欄には上記Ａ欄における通信時の利用時間情報を、Ｃ欄にはこのときの相手先電話番号情報を、Ｄ欄にはこのときの課金情報（利用料金情報)を、それぞれ表示するようになっている。
【００８４】
ここで、ＳＩＭ９に記録されている明細情報の件数が多いために、ＬＣＤ８ａに全ての明細情報を同時に表示できない場合に、操作者は、上記カーソル移動キー２５のうち上移動キー２５ａまたは下移動キー２５ｂを操作することによって、画面に表示された情報を上下方向にスクロールさせることができるようになっており、これによって、表示範囲を変更し所望の明細情報を表示させることができることとなる。
【００８５】
このように構成することによって上記変形例においては、上述の第１の実施形態と同様の効果を得ることができると共に、カーソル移動キー２５を加えて配設し、ＳＩＭ９に記録されている通信に関する課金情報等の明細情報の全てをＬＣＤ８ａ上に表示するようにしたので、いつでも所望のときに、明細情報等の通信履歴を参照することが容易にできる。
【００８６】
次に、本発明の第２の実施形態について、以下に説明する。なお、この第２の実施形態では、情報通信機器を通信機能を有する電子カメラとした場合を例示している。
【００８７】
図７は、この第２の実施形態の電子カメラの構成を示すブロック構成図である。
【００８８】
この第２の実施形態の電子カメラ３１は、制御回路等によって形成される制御回路部と、被写体像の撮影および撮影によって得られた画像データ（映像信号）の記録等に関する構成部材により形成されたカメラ部等によって構成されている。
【００８９】
上記制御回路部は、上述の第１の実施形態の情報通信機器（２１)と略同様の構成からなり、この電子カメラ３１全体の制御を行なうＣＰＵ１と、このＣＰＵ１が各種制御動作を行なう制御プログラムが格納されているＲＯＭ３と、各種データを一時的に格納するＲＡＭ４と、ＰＣカード２２を装着するＰＣカードソケット６Ａと、このＰＣカードソケット６Ａに接続され、上記ＰＣカード２２をＣＰＵ１の制御に基づいて制御するＰＣカードＩ／Ｆ５と、操作手段であるキー入力部７と、表示手段でありＬＣＤ等からなる表示部８と、ＳＩＭ９を着脱自在に装着するＳＩＭソケット６Ｂと、シリアル信号線１４によって接続され、他の外部情報機器１６との間で行なわれるデータ伝送を制御するシリアルＩ／Ｆ１０等によって構成されている。
【００９０】
また、この電子カメラ３１のカメラ部は、コントロール回路部３７によって制御されるようになっており、撮影光学系４８によって結像された光学的映像を電気的映像信号に変換して出力する固体撮像素子等によって形成される撮像手段（以下、ＣＣＤと略記する。）３２と、このＣＣＤ３２から出力される電気的映像信号のプロセス処理を行なうプロセス処理部３３と、このプロセス処理された映像信号（アナログ信号)をデジタル信号に変換するＡ／Ｄ変換器３４と、映像信号が伝達される映像バス５１と、映像信号の一画面分ずつのデータを一時的に記憶するフレームメモリ３６と、デジタルの映像信号をアナログ信号に変換するＤ／Ａ変換器３５と、外部の表示装置（例えばＣＲＴディスプレイ等。図示せず。）に対してスルーアウトビデオ信号として出力する映像信号出力手段であるビデオ信号出力端子３９と、デジタル映像信号の圧縮/伸長処理を行なう圧縮伸長回路部（以下、圧伸回路部という。）３８と、撮影された映像信号（デジタル）を記録するフラッシュメモリ２９等によって構成されている。
【００９１】
そして、上記制御回路部と上記カメラ部とは、システムバス２によって接続されており、各種信号が制御回路部とカメラ部との間で互いに伝達されるようになっている。
【００９２】
図８は、この第２の実施形態の電子カメラ３１の外観形状を示す概略斜視図である。
【００９３】
この電子カメラ３１の上面には、表示部８を形成するＬＣＤ８ａが設けられており、このＬＣＤ８ａ近傍には、上記操作手段であるキー入力部７に相当する各種の操作キー、すなわち、撮影開始信号または通信開始信号を発生させる映像記録指示手段であり通信指示手段でもある映像トリガーキー４０と、特定の操作命令を指示するファンクションキー４１と、モード切り換えを指示するＭＯＤＥキー４２と、各種キーによって入力した文字等を決定するＥＮＴＥＲキー４３と、入力するための文字等を選択する文字選択キー４４と、ＬＣＤ８ａに表示される情報の表示範囲を変更する４つの三角形状のキーからなるカーソル移動キー２５等が配置されている。
【００９４】
なお、上記カーソル移動キー２５を形成する４つのキーは、三角形状の頂点が上方向を指向する上移動キー２５ａと、三角形状の頂点が下方向を指向する下移動キー２５ｂと、三角形状の頂点が左方向を指向する左移動キー２５ｃと、三角形状の頂点が右方向を指向する右移動キー２５ｄの４つのキー群によって形成されており、上記ＬＣＤ８ａの近傍において、三角形状の各頂点が外側に向くように配置されている。
【００９５】
一方、この電子カメラ３１の一側面には、上記ＰＣカードソケット６ＡおよびＳＩＭソケット６Ｂが配設されており、この両ソケット６Ａ，６Ｂには、それぞれＰＣカード２２としてのＰＣカード型電話機、ＳＩＭ９が装着されている。
【００９６】
また、この電子カメラ３１の前面には、撮影レンズ等によって形成される撮影光学系４８が配設されており、カメラ本体内の撮影光学系４８の後方には、上記ＣＣＤ３２等（図８では図示せず。図７参照。）が配設されている。
【００９７】
そして、この電子カメラ３１では、操作者が上記ＭＯＤＥキー４２を押すことによって所望の動作モードを選択することができるようになっている。この動作モードは、「記録モード」、「再生モード」、「伝送モード」の各モードが用意されていて、ＭＯＤＥキー４２を押す毎に、順次切り換えることができるようになっている。
【００９８】
このように構成された上記第２の実施形態の電子カメラの各動作モードにおける動作を、以下に簡単に説明する。
【００９９】
まず、記録モードでは、撮影光学系４８により結像された光学的映像がＣＣＤ３２によって電気的映像信号に変換されて出力され、この映像信号（アナログ）は、プロセス処理部３３を経てＡ／Ｄ変換器３４に入力され、これによりデジタル化される。このデジタル化された映像信号は、映像バス５１を介してフレームメモリ３６へ一時的に記憶されると同時に、Ｄ／Ａ変換器３５に出力され、これによりアナログ信号化された後、ビデオ信号出力端子３９を経て外部表示装置（図示せず）へ出力されて、連続的な映像として表示されることとなる。
【０１００】
そして、上記映像トリガーキー４０が押されることにより、撮影開始信号が発せられると、まず、フレームメモリ３６に記憶されているデジタル映像信号が、映像バス５１を介して圧伸回路部３８へ出力されて圧縮処理が施される。この圧縮処理が施された映像信号（デジタル画像データ）は、システムバス２を介してフラッシュメモリ２９へ記憶される。
【０１０１】
また、上記撮影され圧縮処理された映像信号（デジタル画像データ）は、フラッシュメモリ２９に記憶させるほかに、外部の記憶媒体に記録することもできるようになっている。この場合には、ＰＣカードソケット６Ａに、ＰＣカード２２として、記憶媒体カードを装着した状態で、キー入力部７を操作して、ＣＰＵ１に対してＰＣカード２２への記録動作を行なう旨の指示を与える。ＣＰＵ１は、この指示命令を受けてＰＣカードＩ／Ｆ５を制御して、このＰＣカードＩ／Ｆ５を介して、上記映像信号をＰＣカード（記憶媒体カード）２２に記録する。
【０１０２】
一方、再生モードでは、ＣＰＵ１は、上記フラッシュメモリ２９またはＰＣカード２２に記録されている映像信号（デジタル画像データ）を読み出し、システムバス２を介して圧伸回路部３８へ出力する。この圧伸回路部３８によって映像信号が伸長処理されて、非圧縮状態の映像信号（デジタル）へ復元される。そして、この映像信号は、映像バス５１を介してフレームメモリ３６へ一時的に記憶される。このフレームメモリ３６に一時的に記憶された映像信号は、Ｄ／Ａ変換器３５によって繰り返し読み出されて順次アナログ信号に変換され、再生画像としてビデオ信号出力端子３９から外部表示装置へ出力され、これにより再生される。
【０１０３】
なお、上述した記録モードおよび再生モードは、ＣＰＵ１がシステムバス２を介してコントロール回路部３７の設定を行なうと共に、この設定された動作モードに基づいて、上記コントロール回路部３７が各種の指示命令を発することで各種の動作がなされるようになっている。すなわちコントロール回路部３７は、ＣＰＵ１からの指示命令に基づいて、それぞれ制御線によって接続されているＡ／Ｄ変換器３４、Ｄ／Ａ変換器３５、フレームメモリ３６、圧縮伸長回路部３８およびＰＣカードＩ／Ｆ５等を制御している。
【０１０４】
図９は、この第２の実施形態の電子カメラ３１の動作を示すフローチャートである。
【０１０５】
まず、ステップＳ３１〜Ｓ３３において、動作モードの判定が行なわれる。つまり、ＣＰＵ１は、操作者によってＭＯＤＥキー４２が押されることにより発生するＭＯＤＥキー４２からの入力信号を検出することによって、選択された動作モードを判定する。
【０１０６】
ステップＳ３１において、記録モードが選択されたかどうかの判断がなされる。ここで、記録モードが選択されたと判断されると、記録モードのシーケンスに移行し、記録モードが選択されなかった場合には、次のステップＳ３２の処理に進む。
【０１０７】
ステップＳ３２において、再生モードが選択されたかどうかの判断がなされる。ここで、再生モードが選択されたと判断されると、再生モードのシーケンスに移行し、再生モードが選択されなかった場合には、次のステップＳ３３の処理に進む。
【０１０８】
ステップＳ３３において、伝送モードが選択されたかどうかの判断がなされる。ここで、伝送モードが選択されなかった場合には、上記ＭＯＤＥキー４２は操作されていないと判断されて、動作モード判定シーケンス（ステップＳ３１〜Ｓ３３）の初期状態に戻り、操作者によって、いずれかの動作モードの選択がなされるまで、同様の処理が繰り返される。一方、伝送モードが選択されたと判断されると、次のステップＳ３４の処理に進む。
【０１０９】
ステップＳ３４以降の処理は、伝送モードのシーケンスである。この伝送モードでは、まず、ステップＳ３４において、ＣＰＵ１は、ＰＣカード型電話機（２２）が着信信号、例えば「ＲＩＮＧ」、「ＣＡＬＬ」等の文字列信号を受信したかどうかの監視を行なう。ここで、着信信号が検出された場合には、ステップＳ３８の処理に進み、着信信号が検出されない場合には、次のステップＳ３５の処理に進む。
【０１１０】
ステップＳ３５において、操作者は、上記文字選択キー４４およびＥＮＴＥＲキー４３を操作することによって、電話番号の入力を行なう。この電話番号入力操作が終了した後、次のステップＳ３６の処理に進む。なお、ここで行なわれる電話番号入力操作の具体例については、後述する図１１、図１２によって説明する。
【０１１１】
ステップＳ３６において、操作者は、映像トリガーキー４０を押すことによって、通信を開始する（電話をかける）旨の指示命令をＣＰＵ１に入力し、これを受けてＣＰＵ１は、次のステップＳ３７において、ＰＣカードＩ／Ｆ５を制御して、ＰＣカードソケット６Ａに装着されているＰＣカード型電話機（２２）に対して、ステップＳ３５で入力された電話番号情報および発信命令を送信する。これによって、ＰＣカード型電話機（２２）は発信動作を実行する。そして、次のステップＳ３８の処理に進む。
【０１１２】
ステップＳ３８において、通信相手先との接続に成功したかどうかの判断がなされる。ここで、ＰＣカード型電話機（２２)から「ｃｏｎｎｅｃｔ」等の文字列信号がＣＰＵ１に送信された場合には、ＣＰＵ１は、通信相手先との接続が成功したと判断して、次のステップＳ３９の処理に進み、このステップＳ３９において、通信相手先との間でデータ通信が行なわれる。
【０１１３】
つまり、ここで、ＣＰＵ１は、ＰＣカードソケット６Ａ（装着部）に装着されたＰＣカード型電話機（２２；カード形状の通信機器）によって公衆電話回線を利用して画像データの通信を行なうデータ通信手段として機能する。なお、当該ＣＰＵ１は、シリアルケーブル１５を介してシリアルＩ／Ｆ１０（シリアル通信手段）に接続された他の情報機器によって公衆電話回線を利用して画像データの通信を行なう場合にも同様にデータ通信手段として機能する。
【０１１４】
このデータ通信は、フラッシュメモリ２９に記録された画像データ等を通信相手先へ伝送したり、通信相手先から伝送されてくる画像データ等をフラッシュメモリ２９へ記録する等の動作であり、このデータ通信が終了すると、次のステップＳ４０の処理に進む。
【０１１５】
一方、上述のステップＳ３８において、ＰＣカード型電話機（２２)から「ｆａｉｌ」等の文字列信号がＣＰＵ１に送信された場合には、ＣＰＵ１は、通信相手先との接続に失敗したと判断して、上述のステップＳ３１の処理に戻り、以降のシーケンスを繰り返す。
【０１１６】
ステップＳ４０において、通信相手先との接続状態が、ＰＣカード型電話機（２２）または通信相手先によって切断され、続けて次のステップＳ４１において、直前に行なった通信利用料金に関する課金情報等を取得し、次のステップＳ４２の処理に進む。
【０１１７】
ステップＳ４２において、ＣＰＵ１は、上述のステップＳ４１で取得した課金情報等に基づいて、例えば日付情報、利用時間情報、相手先電話番号情報、課金情報（利用料金情報)等の明細情報を作成し、これをＳＩＭ９に記録した後、次のステップＳ４３の処理に進み、このステップＳ４３において、上記明細情報をＬＣＤ８ａに表示する。その後、上述のステップＳ３１の処理に戻り、以降の処理を繰り返す。
【０１１８】
なお、上述のステップＳ４３において、ＬＣＤ８ａに表示される明細情報の表示形態の一例を表２に示す。
【表２】
2006319990.tif 000004
【０１１９】
図１０は、この第２の実施形態の電子カメラ３１の一部を示す要部上面図であって、ＬＣＤ８ａおよび各操作キーを図示している。この図１０によって、上述のステップＳ４３の課金情報表示モードのシーケンスにおける明細情報の他の表示形態を説明する。
【０１２０】
課金情報表示モードは、操作者によってファンクションキー４１が操作されることによって開始される。すなわち、ファンクションキー４１からの入力信号（課金情報表示命令）がＣＰＵ１に伝達されると、これを受けてＣＰＵ１は、ＳＩＭ９に記録されていた明細情報等の全ての通信履歴情報を読み出して、ＬＣＤ８ａ上に表示する。この一連の動作モードが課金情報表示モードである。
【０１２１】
上記ＳＩＭ９に記録された明細情報の件数が多いために、ＬＣＤ８ａに全ての明細情報を同時に表示できない場合には、操作者は、上記カーソル移動キー２５のうち上移動キー２５ａまたは下移動キー２５ｂを操作することによって、画面に表示された情報を上下方向にスクロールさせて表示範囲を変更し、所望の明細情報を表示させることができるようになっている。なお、図１０では、ＬＣＤ８ａ上の表示を簡略化して図示している。
【０１２２】
ところで、上述の伝送モードの動作シーケンス中のステップＳ３５において行なわれる電話番号入力操作の手順を説明する。
【０１２３】
図１１、図１２は、この第２の実施形態の電子カメラ３１の一部を示す要部上面図である。
【０１２４】
この電子カメラ３１における伝送モードにおいて、電話番号を入力する場合には、まず、操作者は文字選択キー４４を操作する。この文字選択キー４４は、一回押す毎に、１〜９までの数字をＬＣＤ８ａの所定の位置（図１１、図１２では、ＬＣＤ８ａの右下に位置する領域Ｅ）に、順次表示させることができるようになっている。このとき、ＬＣＤ８ａの領域Ｅに表示される数字は、未確定であることを示すために点滅している状態にある。
【０１２５】
操作者は、文字選択キー４４を押して、所望の数字をＬＣＤ８ａに表示させた後、ＥＮＴＥＲキー４３を押すことによって、その数字を確定する。すると、ＬＣＤ８ａの他の所定位置（ＬＣＤ８ａの左下に位置する領域Ｆ）に確定された数字が点灯表示される。なお、図１２に示す状態は、４桁目まで入力を行ない、４桁分の番号を確定させた後の状態を示している。
【０１２６】
このようにして、操作者は、ＬＣＤ８ａの領域Ｆに電話番号の全桁を表示させて所望の電話番号を設定する。そして、最後に映像トリガーキー４０を押して（図９のステップＳ３６参照）、電話番号情報および発信命令をＰＣカード型電話機（２２）に送信する。これにより、電話番号入力操作が完了する。
【０１２７】
図１３は、上述の伝送モードに、課金情報表示モード、パスワード設定モード等のサブモードを加えた場合のフローチャートであって、伝送モードの動作をより詳細に示したものである。
【０１２８】
まず、ステップＳ５１〜Ｓ５３において、動作モードの判定が行なわれるが、これは、上述の図９に示す動作シーケンス中、ステップＳ３１〜Ｓ３３の動作と全く同様である。したがって、ここでは、動作モード判定シーケンスについての説明を省略する。
【０１２９】
図１３のステップＳ５３において、伝送モードが選択されたと判断されて、次のステップＳ５４の処理に進むと、このステップＳ５４において、ＣＰＵ１は、ＰＣカード型電話機（２２）が着信信号、例えば「ＲＩＮＧ」、「ＣＡＬＬ」等の文字列信号を受信したかどうかの監視を行なう。ここで、着信信号が検出された場合には、後述する第２の伝送モードにおけるステップＳ６５（符合Ｂ。図１６参照）の処理に進む一方、着信信号が検出されない場合には、次のステップＳ５５の処理に進む。
【０１３０】
ステップＳ５５において、ＣＰＵ１は、文字選択キー４４が操作者によって操作されたかどうかの確認を行なう。ここで、文字選択キー４４からの入力信号が検出された場合、すなわち操作者により電話番号入力操作が行なわれた場合には、第２のデータ伝送モード（図１６参照）に移行する。
【０１３１】
一方、このステップＳ５５において、文字選択キー４４からの入力信号が検出されない場合には、次のステップＳ５６の処理に進む。
【０１３２】
ステップＳ５６において、ＣＰＵ１は、ファンクションキー４１が操作者によって操作されたかどうかの確認を行なう。ここで、ファンクションキー４１からの入力信号が検出された場合には、課金情報表示モード（図１０の説明参照）に移行し、この課金情報表示モードの処理を実行した後、ステップＳ５７において、再度ファンクションキー４１が操作者によって操作されたかどうかの確認が行なわれる。ここで、ファンクションキー４１からの入力信号が再度検出されると、パスワード設定モードに移行し、このパスワード設定モードを終了すると、上述のステップＳ５１の処理に戻り、以降の処理が繰り返される。
【０１３３】
一方、上述のステップＳ５６およびステップＳ５７において、ファンクションキー４１からの入力信号が共に検出されず、例えばＭＯＤＥキー４２等からの入力信号が検出された場合等には、上述のステップＳ５１の処理に戻り、以降の処理が繰り返される。
【０１３４】
図１４、図１５は、この第２の実施形態の電子カメラ３１の一部を示す要部上面図であって、ＬＣＤ８ａおよび各操作キーを図示している。この図１４、図１５によって、上述のステップＳ５７のパスワード設定モードのシーケンスにおける設定操作の手順を説明する。
【０１３５】
パスワード設定モードにおいて、操作者がパスワードの設定を行なう際には、まず、文字選択キー４４を操作する。この文字選択キー４４は、一回押す毎に、１〜９までの数字およびアルファベットａ〜ｚまでの英文字等をＬＣＤ８ａの所定の位置（図１４、図１５では、ＬＣＤ８ａの右下に位置する領域Ｅ）に、順次表示させることができるようになっている。このとき、ＬＣＤ８ａの領域Ｅに表示される数字または英文字等は、未確定であることを示すために点滅している状態にある。
【０１３６】
操作者は、文字選択キー４４を押して、所望の数字、英文字をＬＣＤ８ａの領域Ｅに表示させた後、ＥＮＴＥＲキー４３を押して、入力する文字を確定する。ＥＮＴＥＲキー４３が押されると、ＬＣＤ８ａの他の所定位置（ＬＣｄ８ａの左下に位置する領域Ｆ）には、確定された数字、英文字が点灯状態で表示される。図１５に示す状態は、４桁の入力文字が確定された状態を示している。なお、ここではパスワードの設定画面であるから機密性が要求されることとなる。したがって、セキュリティ性が考慮される必要がある。そこで、入力された具体的な数字、英文字をＬＣＤ８ａ上に直接表示させることなく、入力桁数に応じた数の代替文字である「＊」を表示するようにしている。
【０１３７】
このようにして、操作者は、文字選択キー４４およびＥＮＴＥＲキー４３とを操作して、ＬＣＤ８ａの領域ＦにＳＩＭ９の設定パスワードに対応するパスワードを全桁入力し設定する。そして、最後に映像トリガーキー４０を押すことで、入力されたパスワードの文字信号がＲＡＭ４等に記憶される。これにより、パスワード設定登録動作が完了する。
【０１３８】
図１６は、上述の図１３における第２のデータ伝送モードの動作を示すフローチャートである。なお、この第２のデータ伝送モードは、図９の伝送モードにおけるステップＳ３５以降のシーケンスと略同様であるが、上述の第１の実施形態と同様にパスワードチェックのシーケンスが付加されている点が異なる。
【０１３９】
この第２のデータ伝送モードに先立って、まず操作者は、パスワード設定モードで、図１４、図１５を用いて説明した手順により、パスワードの設定登録を行なっておく。
【０１４０】
そして、上述の図１３のステップＳ５５において、文字選択キー４４が操作されて、電話番号入力操作がなされると同時に、第２のデータ伝送モードに移行する。ここで行なわれる電話番号入力操作（ステップＳ６１）は、図１１、図１２を用いて説明した手順による。そして、映像トリガーキー４０が押されると（ステップＳ６２）、これを受けてＣＰＵ１は、ステップＳ６３において、パスワードチェックを行なう。ここで、ＳＩＭ９のパスワードと予め登録されたパスワードが一致した場合には、次のステップＳ６４の処理に進み、このステップＳ６４において、ＣＰＵ１は、入力された電話番号情報と発信命令とを、ＰＣカードＩ／Ｆ５を介してＰＣカード型電話機（２２）に伝達する。これにより、ＰＣカード型電話機（２２）は発信動作を行なう。そして、次のステップＳ６５の処理に進む。
【０１４１】
一方、上述のステップＳ６３におけるパスワードチェックの結果、一致しなかった場合には、図１３のステップＳ５１の処理に戻り、以降の処理が繰り返される。
【０１４２】
ステップＳ６５において、通信相手先との接続に成功したかどうかの判断がなされる。ここで、ＰＣカード型電話機（２２)から「ｃｏｎｎｅｃｔ」等の文字列信号がＣＰＵ１に送信されて、接続が成功したと判断されると、次のステップＳ６６の処理に進み、このステップＳ６６において、通信相手先との間でデータ通信が行なわれる。そして、このステップＳ６６〜Ｓ７０までの処理は、図９のステップＳ３９〜Ｓ４３までの処理と全く同様である。
【０１４３】
一方、上述のステップＳ６５において、ＰＣカード型電話機（２２)から「ｆａｉｌ」等の文字列信号がＣＰＵ１に送信されて、接続に失敗したと判断されると、上述のステップＳ５１の処理に戻り、以降のシーケンスを繰り返す。
【０１４４】
ステップＳ７０において、ＬＣＤ８ａへの表示がなされると、この第２のデータ伝送モードのシーケンスを終了し、上述のステップＳ５１の処理に戻り、以降の処理が繰り返される。
【０１４５】
以上説明したように上記第２の実施形態によれば、撮影した画像データ等を通信相手先に伝送することができる電子カメラにおいても、上述の第１の実施の形態と同様の効果を得ることができる。
【０１４６】
図１７は、本発明の第３の実施形態の電子カメラを示すブロック構成図である。この第３の実施形態は、上述の第２の実施形態と基本的に同様の構成からなるものであるが、この第３の実施形態では、上述の第２の実施形態に、さらに記録媒体部５２、主電源５３、送受信信号処理回路部５４、ＲＦ部５５等を加えて配設した点が異なる。
【０１４７】
つまり、この第３の実施形態の電子カメラ３１は、ＰＣカード型電話機（２２）に代えて、ＲＦ部５５を内蔵することによって、この電子カメラ３１単体で、公衆電話回線用電波を利用した通信を行なうことができるようにしたものである。したがって、この第３の実施形態では、上述の第２の実施形態と同様の構成部材については同じ符合を付してその説明を省略し、異なる構成部材についてのみ、以下に説明する。
【０１４８】
上記記録媒体部５２は、ＣＣＤ３２（撮像手段）によって得られた映像信号を記憶する画像記憶手段である。この記録媒体部５２は、ＣＰＵ１との間でシステムバス２を介して接続されており、ＣＰＵ１によって制御されるようになっている。これと同時に、制御線によってコントロール回路部３７にも接続されており、画像データ等の記録、再生動作を行なう際には、上記記録媒体部５２は、コントロール回路部３７によって制御されるようになっている。
【０１４９】
なお、上記記録媒体部５２としては、例えばフレキシブルディスク装置、光ディスク装置、ハードディスク装置等の記憶装置が採用可能である。
【０１５０】
一方、この電子カメラ３１の通信動作は、送受信信号処理手段である上記送受信信号処理回路部５４を介してＣＰＵ１によって制御され公衆電話回線を利用してデータ通信を行なう通信手段であるＲＦ部５５によって行なわれる。このＲＦ部５５は、アンテナ等の通信に関する部材および回路によって形成されており、このＲＦ部５５によって送受信される画像データ等の映像信号は、送受信信号処理回路部５４によって、その信号処理が行なわれるようになっている。  上記送受信信号処理回路部５４は、システムバス２を介してＣＰＵ１に接続されており、このＣＰＵ１によって制御されるようになっている。そして、この送受信信号処理回路部５４は、アナログ信号線によって上記ＲＦ部５５が接続されている。
【０１５１】
また、上記送受信信号処理回路部５４は、主電源５３と電源コントロール線７１によって接続されており、主電源５３は、上記送受信信号処理回路部５４により例えばオンオフ制御等の制御がなされるようになっている。
【０１５２】
この第３の実施形態の電子カメラ３１においては、上述の第２の実施形態（図７参照）と同様に、カメラ部が設けられている。このカメラ部の撮影光学系４８により結像された被写体像が撮像手段であるＣＣＤ３２によって映像信号として光電変換され、この映像信号は、プロセス処理部３３を介してＡ／Ｄ変換器３４に出力され、このＡ／Ｄ変換器３４でデジタル信号に変換された後、映像バス５１を介して圧伸回路部３８に出力され、ここで圧縮処理が施された映像信号（デジタル画像データ）は、システムバス２を介してＣＰＵ１に入力されるようになっている。そして、この映像信号は、ＣＰＵ１からシステムバス２を介して上記送受信信号処理回路部５４に対して出力されるようになっている。
【０１５３】
上記送受信信号処理回路部５４は、このＣＰＵ１から出力される映像信号（デジタル）に対して誤り訂正、Ｄ／Ａ変換等の送信信号処理を施して、上記ＲＦ部５５へアナログデータ信号として出力するようになっていると共に、上記ＲＦ部５５によって受信され、上記送受信信号処理回路部５４に入力されるアナログ信号のうち、通信相手先より送信された画像データ等の映像信号（アナログ）に対しては、Ａ／Ｄ変換、誤り訂正の復号等の受信信号処理を施して、ＣＰＵ１にデジタルデータ信号として出力するようになっている。
【０１５４】
上述のように、上記ＲＦ部５５によって受信される各種のアナログ信号は、送受信信号処理回路部５４に入力されることとなるが、ここで、ＲＦ部５５により受信されるアナログ信号は、公衆電話回線用電波信号である。ＲＦ部５５は、このアナログ信号に対して直交復調処理等を施して、これを上記送受信信号処理回路部５４へアナログデータ信号として出力すると同時に、上記送受信信号処理回路部５４から出力され、このＲＦ部５５に入力されるアナログデータ信号に対しては、直交変調処理等を施すようになっている。これにより、この電子カメラ３１によって通信を行なう際の画像データ等の映像信号は、公衆電話回線用電波信号として出力されるようになっている。
【０１５５】
そして、上記ＲＦ部５５によって受信され、上記送受信信号処理回路部５４に伝達された信号が着信信号である場合には、上記送受信信号処理回路部５４は、「ＲＩＮＧ」、「ＣＡＬＬ」等の文字列信号をＣＰＵ１に出力するようになっており、これを受けてＣＰＵ１は、この着信信号を示す文字列等を表示部（ＬＣＤ）８（表示手段）に表示するようになっている。
【０１５６】
なお、ＲＦ部５５が着信信号を受信したときに、この電子カメラ３１の主電源５３がオフ状態である場合には、上記送受信信号処理回路部５４は、上記着信信号を受けて、電源コントロール線７１によって接続されている主電源５３をオン状態に切り換えてデータ通信を開始可能な状態とする機能、いわゆる着信ウェイクアップ(WakeUp)機能を備えている。したがって、この電子カメラ３１は、主電源５３がオフ状態にある場合にも、ＣＰＵ１による着信信号の監視を常に行なうようにしたモード（以下、着信ウェイクアップモードという）を有している。
【０１５７】
さらに、上記送受信信号処理回路部５４は、ＣＰＵ１の制御によって、回線接続処理を行なうようになっている。この回線接続処理は、通信動作時において、通信相手先との接続が成功した旨の信号をＲＦ部５５が受信し、その信号が上記送受信信号処理回路部５４に伝達されたときに、この送受信信号処理回路部５４は、「ｃｏｎｎｅｃｔ」等の文字列信号をＣＰＵ１へ出力し、また通信相手先との接続に失敗した旨の信号をＲＦ部５５が受信し、その信号が上記送受信信号処理回路部５４に伝達されると、この送受信信号処理回路部５４は、「ｆａｉｌ」等の文字列信号をＣＰＵ１へ出力するようになっている。
【０１５８】
次に、図１８は、この第３の実施形態の電子カメラ３１における電源制御系に関するブロック構成図である。
【０１５９】
この電子カメラ３１の電源制御系の構成は、この電子カメラ３１全体へ電力を供給する主電源５３と、この電子カメラ３１の一部の回路に対して補助電源線によって常に電力を供給している補助電源５７とによって構成されている。
【０１６０】
上記補助電源５７には、送受信信号処理回路部５４、ＲＦ部５５およびキー入力部７（操作手段）が接続されている。
【０１６１】
主電源５３と上記送受信信号処理回路部５４は、ＯＲ素子６９を介して、電源コントロール線７１によって接続されている。また、主電源５３とキー入力部７の主電源スイッチである電源キー（ＰＯＷＥＲキー５８；後述する図１９参照）は、ＯＲ素子６９を介して、電源スイッチ信号線７０によって接続されていると共に、上記電源キー（５８）は、ＣＰＵ１にも電源スイッチ信号線７０によって接続されている。
【０１６２】
上述したように、この電子カメラ３１が着信ウェイクアップモードに設定されているとき（このとき、主電源５３はオフ状態にある）には、上記ＲＦ部５５が着信信号を受信すると、これを受けて上記送受信信号処理回路部５４が、電源コントロール線７１をアクティブ状態にするようになっている。これによって、上記ＯＲ素子６９は、主電源５３に対し電源オン信号を出力するようになっている。
【０１６３】
また、キー入力部７の電源キー（５８）が、操作者によって押されることにより電源スイッチ信号線７０がアクティブとなり、これにより上記ＯＲ素子６９から主電源５３に対して電源オン信号が出力されるようになっている。
【０１６４】
このようにして上記主電源５３は、上記ＯＲ素子６９からの出力信号によってオン、オフの制御がなされるようになっている。そして、主電源５３がオン状態にされると、ＣＰＵ１およびこの電子カメラ３１のその他の全ての回路が主電源線を介して電力の供給を受けるようになっている。
【０１６５】
なお、上述の着信ウェイクアップモードに設定されている場合に、着信信号によって主電源５３がオン状態となった場合に、その動作としては、図１６に示す第２の伝送モードのステップＳ６５以降の処理と同様のシーケンスで動作するようになっている。
【０１６６】
また、この第３の実施形態の電子カメラ３１では、図１９の要部平面図に示すように、キー入力部７として電源キー５８およびスリープキー５９が、上述の第２の実施形態のキー入力部７に加えて設けられている。
【０１６７】
上記電源キー５８は、操作者の押圧操作によって電源スイッチ信号線７０をアクティブとして、主電源５３がオン状態となるようにする操作キーである。また、上記主電源５３がオン状態であるときに、操作者が電源キー５８を押すと、この入力信号を受けて電源スイッチ信号線７０が非アクティブとなって、主電源５３がオフ状態となるようになっている。
【０１６８】
上記スリープキー５９は、着信ウェイクアップモードを設定するための操作キーである。このスリープキー５９は、この電子カメラ３１が伝送モードにあるときに、操作者によって押されると、その入力信号がＣＰＵ１に入力され、これを受けてＣＰＵ１は、上記送受信信号処理回路部５４を制御して着信ウェイクアップモードを設定するようになっている。この状態で、操作者によって、さらに電源キー５８が押されて電源オフ状態にされると、ＣＰＵ１は、着信信号の監視を開始し、上記送受信信号処理回路部５４は、ＲＦ部５５からの着信信号の待機状態となる。
【０１６９】
そして、ＲＦ部５５が着信信号を受信した場合には、上述したように、主電源５３は、自動的にオン状態となって、以降の伝送モードの処理（図１６のステップＳ６５以降の処理）を実行するようになっている。また、上記第３の実施形態において設けられた記録媒体部５２は、ＰＣカードまたはフラッシュメモリであっても構わない。
【０１７０】
このように構成された上記第３の実施形態においては、この電子カメラ３１にＲＦ部５５を内蔵したことにより、単体で公衆電話回線用電波を利用したデータ通信を行なうことのできる電子カメラを得ることができる。
【０１７１】
図２０は、本発明の第４の実施形態の電子カメラを示すブロック構成図である。この第４の実施形態は、上述の第１、第２の実施形態と基本的に同様の構成からなるものであるが、この第４の実施形態では、音声信号処理部６０、音声メモリ６１、スピーカ出力部６２、マイク入力部６３、音声ライン入力端子６４、音声ライン出力端子６５等を加えて配設し、電子カメラとして画像データ等の映像信号の他に、音声信号をも記録、再生することができるようにしたものである。
【０１７２】
すなわち、送受信信号処理回路部５４には、音声信号に対して各種の処理を施す音声信号処理部６０が音声信号線によって接続されており、この音声信号処理部６０には、作業メモリとしての音声メモリ６１が、同様に音声信号線によって接続されている。
【０１７３】
また、上記音声信号処理部６０には、音声信号を外部より入力するための音声入力手段であり音声入力部であるマイク入力部６３および音声ライン入力端子６４と、この音声信号処理部６０によって信号処理が施された音声信号を出力する音声出力手段であり音声出力部であるスピーカ出力部６２および音声ライン出力端子６５が接続されている。
【０１７４】
上記音声信号処理部６０には、通信相手先より伝送され、ＲＦ部５５に受信され、さらに送受信信号処理回路部５４に入力された音声信号を含むデータ信号のうちの音声信号のみが、送受信信号処理回路部５４から入力される。この音声信号は符号化された信号であるので、この音声信号処理部６０によって復号化され、この復号化された音声信号は、アナログ信号に変換されるようになっている。そして、この音声信号（アナログ）は、上記スピーカ出力部６２または音声ライン出力端子６５より外部に出力されるようになっている。
【０１７５】
また、上記音声信号処理部６０には、上記マイク入力部６３または音声ライン入力端子６４から音声信号を直接入力することができるようになっている。ここで入力される音声信号は、アナログ信号であるので音声信号処理部６０によって、記録媒体部５２に記録するに際して最適な形態となるように信号処理が施されるようになっている。
【０１７６】
つまり、上記マイク入力部６３、音声ライン入力端子６４等によって、音声信号処理部６０に入力された音声信号は、この音声信号処理部６０において、デジタル信号に変換されると共に符号化される。この符合化された音声信号は、上記送受信信号処理回路部５４へ出力され、システムバス２を介して記録手段である記録媒体部５２に出力され、これに記憶されるようになっている。
【０１７７】
音声信号処理部６０は、送受信信号処理回路部５４（送受信信号処理手段）に制御されて、記録媒体部５２（記録手段）に記録されている音声信号を読み出して、この音声信号をスピーカ出力部６２および音声ライン出力端子６５（音声出力手段）から出力するのに適した形態の信号に処理すると共に、マイク入力部６３および音声ライン入力端子６４と（音声入力手段）によって入力された音声信号を記録または再生するのに適した形態の信号に処理する役目をしている。
【０１７８】
なお、上記音声信号処理部６０において、音声信号の処理が行なわれる際には、音声メモリ６１が作業メモリとして使用されるようになっており、音声信号処理が効率良く行なわれるようになっている。
【０１７９】
また、この第４の実施形態の電子カメラ３１では、図２１の要部平面図に示すように、キー入力部７として音声記録指示手段である音声トリガーキー６６が、上述の第３の実施形態にさらに加えて設けられている。この音声トリガーキー６６は、この電子カメラ３１によって音声信号の記録または再生等を行なう際に操作する操作キーである。
【０１８０】
次に、この第４の実施形態の電子カメラの動作を、図２２〜図２５のフローチャートによって、以下に説明する。なお、この第４の実施形態の電子カメラ３１では、通常の「記録モード」、「再生モード」、「伝送モード」に加えて、音声信号を利用した「テレビ電話モード」を有しており、操作者がＭＯＤＥキー４２を順次押すことによって、所望の動作モードを選択するようになっている。
【０１８１】
図２２は、この電子カメラにおける動作モードを検出する検出シーケンスを示すフローチャートである。
【０１８２】
まず、ステップＳ７１〜Ｓ７４において、動作モードの判定を行なう。つまり、操作者がＭＯＤＥキー４２によって選択した動作モードに対応するＭＯＤＥキー４２からの入力信号を検出する。
【０１８３】
ステップＳ７１において、記録モードが選択されたかどうかの判断がなされる。ここで、記録モードが選択されたと判断されると、記録モードのシーケンスに移行し、記録モードが選択されなかった場合には、次のステップＳ７２の処理に進む。
【０１８４】
ステップＳ７２において、再生モードが選択されたかどうかの判断がなされる。ここで、再生モードが選択されたと判断されると、再生モードのシーケンスに移行し、再生モードが選択されなかった場合には、次のステップＳ７３の処理に進む。
【０１８５】
ステップＳ７３において、伝送モードが選択されたかどうかの判断がなされる。ここで、伝送モードが選択されたと判断されると、データ伝送モードのシーケンスに移行し、伝送モードが選択されなかった場合には、次のステップＳ７４の処理に進む。
【０１８６】
ステップＳ７４において、テレビ電話モードが選択されたかどうかの判断がなされる。ここで、テレビ電話モードが選択されたと判断されると、テレビ電話モードに移行し、テレビ電話モードが選択されなかった場合には、上記ＭＯＤＥキー４２は操作されていないと判断されて、動作モード判定シーケンスの初期状態に戻り、操作者によって、いずれかの動作モードの選択がなされるまで、ステップＳ７１以降の処理が繰り返される。
【０１８７】
図２３は、この電子カメラにおけるデータ伝送モードのフローチャートである。
【０１８８】
まず、ステップＳ７５において、ＣＰＵ１は、ＲＦ部５５が着信信号、すなわち「ＲＩＮＧ」、「ＣＡＬＬ」等の文字列信号を送受信信号処理回路部５４から
受信したかどうかの監視を行なう。ここで、着信信号が検出された場合には、第２のデータ伝送モード（図１６のフローチャートと同様）に移行し、着信信号が検出されない場合には、次のステップＳ７６の処理に進む。
【０１８９】
ステップＳ７６において、文字選択キー４４からの入力信号の検出を行なう。ここで、操作者によって文字選択キー４４が操作されて（電話番号入力操作が行なわれて）、この文字選択キー４４からの入力信号が検出された場合にも、第２のデータ伝送モード（図１６参照）に移行し、文字選択キー４４からの入力信号が検出さない場合、すなわち、文字選択キー４４の操作がなされていない場合には、次のステップＳ７７の処理に進む。
【０１９０】
ステップＳ７７において、ファンクションキー４１からの入力信号の検出を行なう。ここで、操作者によってファンクションキー４１が操作されて、このファンクションキー４１からの入力信号が検出された場合には、課金情報表示モード（図１０の説明参照）に移行する。
【０１９１】
また、上述のステップＳ７７において、ファンクションキー４１からの入力信号が検出さない場合、すなわち、ファンクションキー４１の操作がなされていない場合には、上述のステップＳ７１の処理に戻り（図２２の符合Ｄ）、以降の処理が繰り返される。
【０１９２】
上記課金情報表示モードが終了すると、次のステップＳ７８に進み、このステップＳ７８において、再度ファンクションキー４１が操作されたかどうかの確認が行なわれる。ここで、ファンクションキー４１からの入力信号が検出されると、パスワード設定モード（図１４、図１５の説明参照）に移行し、このパスワード設定モードを終了した後、上述のステップＳ７１の処理に戻り（図２２の符合Ｄ）、以降の処理が繰り返される。
【０１９３】
また、ファンクションキー４１からの入力信号が検出されない場合には、すぐに、上述のステップＳ７１の処理に戻り（図２２の符合Ｄ）、以降の処理が繰り返される。
【０１９４】
図２４は、この電子カメラにおける記録モードのフローチャートである。
【０１９５】
まず、ステップＳ８１において、ＣＰＵ１は、映像トリガーキー４０からの入力信号の検出を行なう。ここで、映像トリガーキー４０からの入力信号が検出された場合には、操作者によって映像トリガーキー４０が操作されたと判断されて、ステップＳ８５の処理に進み、ステップＳ８５において、映像信号(静止画像)の記録動作が行なわれた後、上述のステップＳ７１の処理に戻り（図２２の符合Ｄ）、以降の処理が繰り返される。
【０１９６】
上述のステップＳ８１において、映像トリガーキー４０からの入力信号が検出されない場合には、操作者によって映像トリガーキー４０が操作されていないと判断されて、次のステップＳ８２の処理に進む。
【０１９７】
ステップＳ８２において、ＣＰＵ１は、音声トリガーキー６６からの入力信号の検出を行なう。ここで、音声トリガーキー６６からの入力信号が検出された場合には、操作者によって音声トリガーキー６６が操作されたと判断されて、次のステップＳ８６の処理に進む。
【０１９８】
ステップＳ８６において、音声信号の集音動作が開始される。まず、上記音声トリガーキー６６からの入力信号を受けてＣＰＵ１は、送受信信号処理回路部５４へ集音命令を送る。これを受けて送受信信号処理回路部５４は、音声信号処理部６０を制御し、マイク入力部６３または音声ライン入力端子６４によって集音動作が行なわれ、集音された音声信号は、音声信号処理部６０に入力される。この音声信号処理部６０は、上述したように、入力された音声信号をデジタル信号に変換すると共に符号化する。そして、この符号化された音声信号（デジタル）は、送受信信号処理回路部５４に出力され、これを介してＣＰＵ１へと出力され、さらに、ＣＰＵ１は、この音声信号をシステムバス２を介してＲＡＭ４へ出力し、ここに一時的な記憶が行なわれる。
【０１９９】
この集音動作中において、ＣＰＵ１は、音声トリガーキー６６からの入力信号を監視しており（ステップＳ８７）、上述のステップＳ８２における音声トリガーキー６６の入力信号以後は、再度音声トリガーキー６６が操作されて入力信号が検出された場合、または所定の時間が経過する（タイムアウトが判定されるステップＳ８８）まで続けられる。
【０２００】
そして、ステップＳ８７における音声トリガーキー６６の入力信号が検出されると集音動作は終了し、次のステップＳ８９へ進む。また、上述のステップＳ８７において、音声トリガーキー６６の入力信号が検出されず、ステップＳ８８に進み、ここで所定時間が経過して、タイムアウトであると判定されると、集音動作が終了し、同様に次のステップＳ８９へ進む。
【０２０１】
ステップＳ８９において、ＣＰＵ１は、上述の集音動作中にＲＡＭ４に一時的に記憶された音声信号（デジタル）を読み出し、システムバス２を介して記録媒体部５２へ出力し、音声データファイルとして書き込みを行なう。そして、上述のステップＳ７１の処理に戻り（図２２の符合Ｄ）、以降の処理が繰り返される。
【０２０２】
一方、上述のステップＳ８２において、音声トリガーキー６６からの入力信号が検出されない場合には、操作者によって音声トリガーキー６６が操作されていないと判断されて、次のステップＳ８３の処理に進む。
【０２０３】
ステップＳ８３において、ＣＰＵ１は、ファンクションキー４１からの入力信号の検出を行なう。ここで、ファンクションキー４１からの入力信号が検出された場合には、次のステップＳ８４の処理に進み、ファンクションキー４１からの入力信号が検出されない場合には、上述のステップＳ７１の処理に戻り（図２２の符合Ｄ）、以降の処理が繰り返される。
【０２０４】
ステップＳ８４において、操作者は、音声タイムアウト時間の設定を行なうことができる。この音声タイムアウト時間の設定は、文字選択キー４４およびＥＮＴＥＲキー４３を利用して行なわれる。その設定手順は、上述の電話番号入力操作（図１０、図１１参照）と同様である。
【０２０５】
そして、音声タイムアウト時間の設定が終了した後は、上述のステップＳ７１の処理に戻り（図２２の符合Ｄ）、以降の処理が繰り返される。
【０２０６】
なお、ここで設定される時間によって、上述のステップＳ８８における集音動作のタイムアウトが判定されることとなる。また、このタイムアウト設定時間は、後述するテレビ電話モード実行時における音声データ伝送動作時にも利用されることとなる（図２５のステップＳ９７〜ステップＳ１０４参照）。
【０２０７】
図２５は、この電子カメラのテレビ電話モードのフローチャートである。
【０２０８】
まず、ステップＳ９０において、ＣＰＵ１は、文字選択キー４４からの入力信号の監視を行なう。ここで、文字選択キー４４からの入力信号が検出されない場合には、次のステップＳ９５の処理に進み、このステップＳ９５において、ＲＦ部５５からの着信信号の監視を行なう。ここで、着信信号が検出されなければ、上述のステップＳ７４の処理に戻り（図２２の符合Ｅ）、以降の処理が繰り返される。また、着信信号が検出された場合には、電話がかかってきていると判断されて、ステップＳ９６の処理に進む。
【０２０９】
一方、上述のステップＳ９０において、文字選択キー４４からの入力信号が検出され、操作者によって文字選択キー４４が操作され、電話番号入力操作が行なわれていると判断されると、次のステップＳ９１の処理に進む。
【０２１０】
ステップＳ９１において、操作者は、文字選択キー４４およびＥＮＴＥＲキー４３によって電話番号入力操作が行なわれ、続けて次のステップＳ９２において、映像トリガーキー４０が押され、これにより、入力された電話番号と共に発信命令がＣＰＵ１に伝達される。
【０２１１】
これを受けてＣＰＵ１は、ステップＳ９３において、パスワードチェックが行なわれる。このパスワードチェックの結果、ＳＩＭ９固有のパスワードと、この電子カメラ３１に予め設定登録されているパスワードとが一致した場合には、次のステップＳ９４に進み、上記両者のパスワードが一致しない場合には、上述のステップＳ７１の処理に戻り（図２２の符合Ｄ）、以降の処理が繰り返される。
【０２１２】
ステップＳ９４において、ＣＰＵ１は、上述のステップＳ９２で入力された電話番号情報と発信命令を送受信信号処理回路部５４に伝達する。これにより、送受信信号処理回路部５４は、ＲＦ部５５を制御して発信動作を行なう。そして、次のステップＳ９６の処理に進む。
【０２１３】
ステップＳ９６において、通信相手先との接続に成功したかどうかの判断がなされる。ここで、「ｆａｉｌ」等の文字列信号が送受信信号処理回路部５４からＣＰＵ１に送信された場合には、ＣＰＵ１は、通信相手先との接続に失敗したと判断して、上述のステップＳ７１の処理に戻り（図２２の符合Ｄ）、以降の処理が繰り返される。
【０２１４】
一方、上述のステップＳ９６において、「ｃｏｎｎｅｃｔ」等の文字列信号が送受信信号処理回路部５４からＣＰＵ１に送信された場合には、ＣＰＵ１は、通信相手先との接続が成功したと判断して、次のステップＳ９７の処理に進み、このステップＳ９７において、通信相手先との間での音声信号のデータ伝送が可能な状態（通話状態）となって、音声データ伝送動作が行なわれる。
【０２１５】
なお、ここで行なわれる音声データ伝送動作は、通常の電話における通話状態、つまり通信相手との会話による音声情報を電気的な音声信号に変換して、これを伝送する動作を示している。
【０２１６】
すなわち、電話回線を介して通信相手先から送られてくる符号化された音声信号がＲＦ部５５により受信されて、送受信信号処理回路部５４に入力され、さらに音声信号処理部６０に入力される。この音声信号処理部６０において、音声信号の復号化およびアナログ信号への変換処理が施され、スピーカ出力部６２または音声ライン出力端子６５より外部に出力される。
【０２１７】
これと同時に、マイク入力部６３または音声ライン入力端子６４から入力される音声信号（アナログ）は、音声信号処理部６０においてデジタル信号へ変換されると共に符合化されて、送受信信号処理回路部５４へ出力され、ＲＦ部５５によって通信相手先へ伝送される。
【０２１８】
また、このステップＳ９７における音声データ伝送（通話）状態では、撮影光学系４８により連続的に結像される被写体像は、ＣＣＤ３２、プロセス処理部３３、Ａ／Ｄ変換器３４を経て画像データの映像信号（デジタル）に変換されて、フレームメモリ３６へ順次記憶されており、これと同時に、フレームメモリ３６に記憶された映像信号は、Ｄ／Ａ変換器３５によって繰り返し読み出され、アナログ信号（ビデオ信号）に変換されて、ビデオ信号出力端子３９から外部表示装置へ順次、出力されている。このときの映像信号の出力形態は、映像信号が順次、連続的に再生されるようにしたスルー画像出力となっている。
【０２１９】
さらに、上述の音声データ伝送（通話）状態においては、ＣＰＵ１によって映像トリガーキー４０、音声トリガーキー６６およびＭＯＤＥキー４２からの入力信号の監視が行なわれている（ステップＳ９８，Ｓ１００，Ｓ１０５）。
【０２２０】
したがって、音声データ伝送（通話）動作中に、操作者が映像トリガーキー４０を操作した場合には、ステップＳ９９の処理に進み、映像信号のデータ伝送動作が割込まれる。
【０２２１】
すなわち、上述のステップＳ９８において、ＣＰＵ１が映像トリガーキー４０からの入力信号を検出すると、音声データ伝送およびビデオ信号出力端子３９からの画像再生を中断する。これと同時に、フレームメモリ３６に記憶されている映像信号のうち、映像トリガーキー４０が操作された時点における所定の映像信号(静止画像)が、映像バス５１を介して圧伸回路部３８に出力され、ここで圧縮処理が施された後、システムバス２を介して送受信信号処理回路部５４へ出力される。そして、この送受信信号処理回路部５４は、ＲＦ部５５を制御して上記所定の映像信号を通信相手先へ伝送する。この映像信号のデータ伝送が終了すると、上述のステップＳ９７の処理に戻り、中断された音声データ伝送動作およびビデオ信号出力端子３９からの画像再生が再開される。
【０２２２】
また、上述のステップＳ９７における音声データ伝送（通話）動作中に、操作者が、映像トリガーキー４０を操作せず、音声トリガーキー６６を操作した場合には、次のステップＳ１０１の処理に進む。
【０２２３】
ステップＳ１０１において、ＣＰＵ１は、送受信信号処理回路部５４を制御して通話音声の集音動作を開始する。すなわち、ＲＦ部５５によって受信される通信相手先からの符号化された音声信号は、送受信信号処理回路部５４、システムバス２を介してＣＰＵ１へ出力され、ＣＰＵ１は、この音声信号をＲＡＭ４へ順次格納する。同時に、マイク入力部６３または音声ライン入力端子６４から入力される音声信号も、音声信号処理部６０、送受信信号処理回路部５４、システムバス２を介してＣＰＵ１へ出力され、このＣＰＵ１は、上記音声信号をＲＡＭ４へ順次格納する。
【０２２４】
なお、この集音動作中においてもＣＰＵ１は、音声トリガーキー６６からの入力信号の監視を引き続き行なっていると共に、この集音動作の経過時間を監視している（ステップＳ１０２，Ｓ１０３）。
【０２２５】
したがって、上記集音動作中に、音声トリガーキー６６が操作者によって操作された場合、または設定された所定の時間が経過した（タイムアウトが判定された）場合には、次のステップＳ１０４の処理に進む。
【０２２６】
なお、ここでタイムアウトの判定を行なう所定時間は、上述のステップＳ８４（図２４参照）において、操作者が設定するタイムアウト時間が利用される。
【０２２７】
ステップＳ１０４において、ＣＰＵ１は、ＲＡＭ４に格納されている符合化された音声信号を読み出し、音声データファイルとして記録媒体部５２に記録し、上述のステップＳ９７の処理に戻り、以降の処理、すなわち音声データ伝送動作を繰り返す。
【０２２８】
さらに、上述のステップＳ９７における音声データ伝送（通話）動作中に、操作者が映像トリガーキー４０も音声トリガーキー６６も操作していない場合には、ステップＳ１０５において、ＭＯＤＥキー４２からの入力信号の監視が行なわれる。ここで、ＣＰＵ１によってＭＯＤＥキー４２からの入力信号が検出されない場合には、ステップＳ１０６の処理に進み、ステップＳ１０６において、ＣＰＵ１は、送受信信号処理回路部５４が通信相手先からの回線切断信号、例えば「ＮＯ  ＣＡＲＲＩＥＲ」等の文字列信号を受信したかどうかの監視を行なう。
【０２２９】
ここで、回線切断信号が検出された場合、すなわちＲＦ部５５が通信相手先からの回線切断信号を受信し、この信号が送受信信号処理回路部５４を介してＣＰＵ１に伝達されると、次のステップＳ１０８の処理に進む。一方、ＣＰＵ１が回線切断信号を検出しなければ、上述のステップＳ９７の処理に戻り、以降の処理を繰り返す。
【０２３０】
また、上述のステップＳ１０５において、ＭＯＤＥキー４２からの入力信号が検出された場合には、ステップＳ１０７の処理に進み、このステップＳ１０７において、ＣＰＵ１は、送受信信号処理回路部５４を制御して回線切断動作を行ない、次のステップＳ１０８の処理に進む。
【０２３１】
ステップＳ１０８において、回線網から直前に行なった通信利用料金に関する課金情報等を取得し、この取得した課金情報等に基づいて、例えば日付情報、利用時間情報、相手先電話番号情報、課金情報（利用料金情報)等の明細情報を作成し、これをＳＩＭ９に記録する（ステップＳ１０９）。そして、この明細情報を表示部８に表示し（ステップＳ１１０）、上述のステップＳ７１の処理に戻り（図２２の符合Ｄ）、以降の処理が繰り返される。
【０２３２】
なお、上述した通り、ステップＳ１０６で通信相手先からの回線切断信号を検出した場合において、ステップＳ１０８からＳ１１０までの処理を行なった後、上述のステップＳ７１以降の処理が繰り返されることとなるが、このとき、操作者がＭＯＤＥキー４２の操作を行なわなければ、動作モードの変更はないので、再度テレビ電話モードに入ることとなる。したがって、操作者による文字選択キー４４からの入力信号、または着信信号の待機状態となる。
【０２３３】
以上説明したように上記第４の実施形態によれば、音声データを処理する機能をさらに付加したことにより、画像データと共に音声データをもデータ伝送することが容易に可能となる。
【０２３４】
なお、本発明は上述した実施形態に限定されるものではなく、発明の主旨を逸脱しない範囲内において種々の変形や応用が可能であることは勿論である。
【０２３５】
［付記］
上記発明の実施形態により、以下のような構成の発明を得ることができる。
【０２３６】
（１）  撮影光学系により結像される光学的映像を電気的映像信号に変換して出力する撮像手段と、この撮像手段によって得られた映像信号を外部表示手段に出力する映像信号出力手段と、カード形状の記憶媒体またはカード形状の通信機器を装着する装着部と、他の情報機器との間でシリアル伝送を行なうシリアル通信手段とを有し、上記装着部に装着されたカード形状の通信機器または上記シリアル通信手段に接続された他の情報機器によって公衆電話回線を利用したデータ通信を行なう電子カメラにおいて、
上記電子カメラに対して各種の処理を実行せしめる操作手段と、
上記操作手段による操作内容および操作結果を表示する表示手段と、
回線加入者情報が格納されたカード形状の媒体を挿入する装填部と、
を有し、
上記装着部に装着されたカード形状の通信機器または上記シリアル通信手段に接続された他の情報機器によってデータ通信を行なった後に、回線利用情報を取得して、この回線利用情報を上記カード形状媒体に書き込む電子カメラ。
【０２３７】
（２）  付記１に記載の電子カメラにおいて、
上記回線利用情報は、少なくとも利用料金に関する課金情報および電話番号情報を含む電子カメラ。
【０２３８】
（３）  付記１に記載の電子カメラにおいて、
上記操作手段は、回線利用情報の表示を行なわしめる操作キーを含み、この操作キーを操作することによって、回線利用情報を上記カード形状媒体から読み出し、上記表示手段に表示するようにした電子カメラ。
【０２３９】
付記１、２、３によれば、装着部に装着されたカード形状の通信機器またはシリアル通信手段に接続された他の情報機器によってデータ通信を行なった後に、利用料金に関する課金情報および電話番号情報等の回線利用情報を取得して、この回線利用情報をカード形状媒体に書き込むようにしたので、所望のときに回線利用情報の表示を行なわしめる操作キーを操作することで、上記回線利用情報をカード形状媒体から読み出し、表示手段に表示することができる電子カメラを提供できる。
【０２４０】
（４）  付記１に記載の電子カメラにおいて、
上記操作手段は、パスワードの設定入力を行なう操作キーを含み、上記カード形状媒体固有のパスワードに対応する文字列の登録を行なうことができるようにした電子カメラ。
【０２４１】
（５）  付記４に記載の電子カメラにおいて、
上記カード形状媒体を上記装填部に装填して公衆電話回線を利用したデータ通信を行なう際に、上記カード形状媒体に設定されている固有のパスワード情報と予め上記操作キーによって上記電子カメラに設定登録されたパスワード情報とを読み出して、この両パスワード情報についてパスワードチェックを行なうようにした電子カメラ。
【０２４２】
付記４、５によれば、パスワードの設定入力を行なう操作キーにより、カード形状媒体固有のパスワードに対応する文字列の登録を行なうことができるようにし、カード形状媒体を装填部に装填して公衆電話回線を利用したデータ通信を行なう際に、カード形状媒体の固有のパスワードと、予め操作キーによって設定登録したパスワードについてパスワードチェックを行なうようにしたので、不法に入手したカード形状媒体の使用を防止し、セキュリティ性の向上に寄与する電子カメラを提供できる。
【０２４３】
（６）  撮影光学系により結像される光学的映像を電気的映像信号に変換して出力する撮像手段と、この撮像手段によって得られた映像信号を外部表示手段に出力する映像信号出力手段と、公衆電話回線を利用してデータ通信を行なう通信手段と、他の情報機器との間でシリアル伝送を行なうシリアル通信手段とを有し、上記通信手段または上記シリアル通信手段に接続された他の情報機器によって公衆電話回線を利用したデータ通信を行なう電子カメラにおいて、
上記撮像手段によって得られた映像信号を記憶する記録媒体部と、
上記電子カメラに対して各種の処理を実行せしめる操作手段と、
上記操作手段による操作内容および操作結果を表示する表示手段と、
回線加入者情報が格納されたカード形状の媒体を挿入する装填部と、
映像信号を送信するに適した形態の信号に処理すると共に、受信した信号を記録または再生するに適した形態の信号に処理する送受信信号処理回路部と、
を有し、
上記通信手段または上記シリアル通信手段に接続された他の情報機器によってデータ通信を行なった後に、回線利用情報を取得して、この回線利用情報を上記カード形状媒体に書き込む電子カメラ。
【０２４４】
付記６によれば、付記１、２、３と同様の効果を得ることができる。
【０２４５】
（７）  付記６に記載の電子カメラにおいて、
主電源からの電力供給が断たれている状態にあっても、少なくとも上記送受信信号処理回路部および上記通信手段に対して常に電力を供給する補助電源を、さらに具備し、
上記送受信信号処理回路部は、上記主電源のオンオフ制御を行なうものである電子カメラ。
【０２４６】
（８）  付記７に記載の電子カメラにおいて、
上記主電源がオフ状態にあるときに、上記通信手段によって着信信号が受信され、この着信信号が上記送受信信号処理回路部に伝達された場合には、上記送受信信号処理回路部は、主電源を制御してオン状態に切り換え、データ通信を開始可能な状態とする電子カメラ。
【０２４７】
付記７、８によれば、主電源からの電力供給が断たれている状態にあっても、補助電源によって、少なくとも送受信信号処理回路部および通信手段に対して常に電力を供給するようにし、送受信信号処理回路部によって主電源のオンオフ制御を行なうようにしたので、主電源がオフ状態にあるときに、通信手段によって着信信号が受信され、この着信信号が送受信信号処理回路部に伝達された場合に、送受信信号処理回路部によって主電源を制御し、これをオン状態に切り換えて、データ通信を開始できる状態とする着信ウェイクアップモードを有する電子カメラを提供することができる。
【０２４８】
（９）  撮影光学系により結像される光学的映像を電気的映像信号に変換して出力する撮像手段と、この撮像手段によって得られた映像信号を外部表示手段に出力する映像信号出力手段と、公衆電話回線を利用してデータ通信を行なう通信手段と、公衆電話回線を利用したデータ通信を行なう他の情報機器との間でシリアル伝送を行なうシリアル通信手段とを有し、上記通信手段または上記シリアル通信手段に接続された他の情報機器によって公衆電話回線を利用したデータ通信を行なう電子カメラにおいて、
上記撮像手段によって得られた映像信号を記憶する記録媒体部と、
上記電子カメラに対して各種の処理を実行せしめる操作手段と、
上記操作手段による操作内容および操作結果を表示する表示手段と、
回線加入者情報が格納されたカード形状の媒体を挿入する装填部と、
上記映像信号を送信するに適した形態の信号に処理すると共に、受信した信号を記録または再生するに適した形態の信号に処理する送受信信号処理回路部と、
音声信号を出力する音声出力手段と、
音声信号を入力する音声入力手段と、
上記送受信信号処理回路部に制御され、上記記録媒体部に記録されている音声信号を読み出して、この音声信号を上記音声出力手段から出力するに適した形態の信号に処理すると共に、上記音声入力手段によって入力された音声信号を記録または再生するに適した形態の信号に処理する音声信号処理部と、
を有し、
上記通信手段または上記シリアル通信手段に接続された他の情報機器によって画像データおよび音声データのデータ伝送を行なう電子カメラ。
【０２４９】
付記９によれば、通信手段またはシリアル通信手段に接続された他の情報機器によって画像データおよび音声データのデータ伝送を行なうことのできる電子カメラを提供することができる。
【０２５０】
（１０）  付記９に記載の電子カメラにおいて、
上記操作手段は、映像記録指示手段を含み、記録モードで動作しているときに上記映像記録指示手段が操作されると、静止画像の映像信号が記録媒体に記録される一方、テレビ電話モードで動作しているときには、音声信号のデータ通信が行なわれ、このとき上記映像記録指示手段が操作されると、映像信号が送信されるようにした電子カメラ。
【０２５１】
付記１０によれば、映像記録指示手段を設けることによって、記録モードで動作しているときに映像記録指示手段を操作することで、静止画像の映像信号を記録媒体に記録でき、テレビ電話モードで動作しているときに、映像記録指示手段を操作することで、静止画像を送信することができる。
【０２５２】
（１１）  付記９に記載の電子カメラにおいて、
上記操作手段は、音声記録指示手段を含み、記録モードで動作しているときに上記音声記録指示手段が操作されると、上記音声入力手段から入力される音声信号が上記記録媒体に記録される一方、テレビ電話モードで動作しているときに上記音声記録指示手段が操作されると、通話に使われている送受信音声信号が記録媒体に記録されるようにした電子カメラ。
【０２５３】
付記１１によれば、音声記録指示手段を設けることによって、記録モードで動作しているときに音声記録指示手段を操作することで、音声入力手段から入力される音声信号を記録媒体に記録でき、テレビ電話モードで動作しているときに音声記録指示手段を操作することで、送受信音声信号を記録媒体に記録することができる。
【０２５４】
（１２）  付記９に記載の電子カメラにおいて、
上記通信手段または上記シリアル通信手段に接続された他の情報機器によってデータ通信を行なった後に、回線利用情報を取得して、この回線利用情報を上記カード形状媒体に書き込む電子カメラ。
【０２５５】
（１３）  付記１２に記載の電子カメラにおいて、
上記回線利用情報は、少なくとも利用料金に関する課金情報および電話番号情報を含む電子カメラ。
【０２５６】
付記１２、１３によれば、通信手段またはシリアル通信手段に接続された他の情報機器によってデータ通信を行なった後に、少なくとも利用料金に関する課金情報および電話番号情報等の回線利用情報を取得して、この回線利用情報をカード形状媒体に書き込むことのできる電子カメラを提供できる。
【図面の簡単な説明】
【０２５７】
【図１】本発明の第１の実施形態の情報通信機器全体を示すブロック構成図。
【図２】図１の情報通信機器の外観形状を示す概略斜視図。
【図３】図１の情報通信機器における第１の通信モードを示すフローチャート。
【図４】図１の情報通信機器におけるパスワード設定モードを示すフローチャート。
【図５】図１の情報通信機器における第２の通信モードを示すフローチャート。
【図６】図１の情報通信機器の変形例を示す要部概略斜視図。
【図７】本発明の第２の実施形態の電子カメラを示すブロック構成図。
【図８】図７の電子カメラの外観形状を示す概略斜視図。
【図９】図７の電子カメラの動作を示すフローチャート。
【図１０】図７の電子カメラの一部を示す要部上面図であって、課金情報表示モードにおける明細情報の他の表示形態を説明する図。
【図１１】図７の電子カメラの一部を示す要部上面図であって、電話番号入力操作の具体例を説明する図。
【図１２】図７の電子カメラの一部を示す要部上面図であって、電話番号入力操作の具体例を説明する図。
【図１３】図７の電子カメラの伝送モードの動作をより詳細に示したフローチャート。
【図１４】図７の電子カメラの一部を示す要部上面図であって、パスワード設定モードにおける設定操作の手順を説明する図。
【図１５】図７の電子カメラの一部を示す要部上面図であって、パスワード設定モードにおける設定操作の手順を説明する図。
【図１６】図７の電子カメラの第２のデータ伝送モードの動作を示すフローチャート。
【図１７】本発明の第３の実施形態の電子カメラを示すブロック構成図。
【図１８】図１７の電子カメラにおける電源制御系に関するブロック構成図。
【図１９】図１７の電子カメラの要部平面図。
【図２０】本発明の第４の実施形態の電子カメラを示すブロック構成図。
【図２１】図２０の電子カメラの要部平面図。
【図２２】図２０の電子カメラにおける動作モード検出シーケンスを示すフローチャート。
【図２３】図２０の電子カメラにおけるデータ伝送モードのフローチャート。
【図２４】図２０の電子カメラにおける記録モードのフローチャート。
【図２５】図２０の電子カメラのテレビ電話モードのフローチャート。
【符号の説明】
【０２５８】
１……ＣＰＵ
２……システムバス
３……ＲＯＭ
４……ＲＡＭ
５……ＰＣカードＩ／Ｆ
６Ａ……ＰＣカードソケット（装着部）
６Ｂ……ＳＩＭソケット（装填部）
７……キー入力部（操作手段）
８……表示部（表示手段）
８ａ……ＬＣＤ（表示手段）
９……ＳＩＭ（回線加入者情報カード、カード形状媒体）
１０……シリアルＩ／Ｆ（シリアル通信手段）
１６……外部情報機器
２１……情報通信機器
２２……ＰＣカード（カード形状の記憶媒体、カード形状の通信機器)
２９……フラッシュメモリ
３１……電子カメラ（情報通信機器）
３２……ＣＣＤ（撮像手段）
３６……フレームメモリ
３７……コントロール回路部
３９……ビデオ信号出力端子（映像信号出力手段）
４０……映像トリガーキー（映像記録指示手段、通信指示手段）
５２……記録媒体部（記憶手段）
５４……送受信信号処理回路部
５５……ＲＦ部（通信手段）
６０……音声信号処理部
６１……音声メモリ
６２……スピーカ出力部（音声出力部）
６３……マイク入力部（音声入力部）
６４……音声ライン入力端子（音声入力部）
６５……音声ライン出力端子（音声出力部）
６６……音声トリガーキー（音声記録指示手段）
【図１】
2006319990.tif 000005
【図２】
2006319990.tif 000006
【図３】
2006319990.tif 000007
【図４】
2006319990.tif 000008
【図５】
2006319990.tif 000009
【図６】
2006319990.tif 000010
【図７】
2006319990.tif 000011
【図８】
2006319990.tif 000012
【図９】
2006319990.tif 000013
【図１０】
2006319990.tif 000014
【図１１】
2006319990.tif 000015
【図１２】
2006319990.tif 000016
【図１３】
2006319990.tif 000017
【図１４】
2006319990.tif 000018
【図１５】
2006319990.tif 000019
【図１６】
2006319990.tif 000020
【図１７】
2006319990.tif 000021
【図１８】
2006319990.tif 000022
【図１９】
2006319990.tif 000023
【図２０】
2006319990.tif 000024
【図２１】
2006319990.tif 000025
【図２２】
2006319990.tif 000026
【図２３】
2006319990.tif 000027
【図２４】
2006319990.tif 000028
【図２５】
2006319990.tif 000029